(57)【要約】方法、装置、およびシステムが、開示される。無線送受信ユニットによって実施される１つの代表的な方法は、第１のビームフォーミング行列を決定するステップと、ネットワークエンティティに、第１のビームフォーミング行列の表示を送信するステップと、ネットワークエンティティから、ネットワークエンティティによって少なくとも第１のビームフォーミング行列から決定された第２のビームフォーミング行列の表示を、送信用データをビームフォーミングするために受信するステップとを含む。
2019528613.tif 000002
【特許請求の範囲】
【請求項１】
無線送受信ユニット（ＷＴＲＵ）によって実施される方法であって、
前記ＷＴＲＵによって、アップリンク（ＵＬ）チャネル推定を、ＵＬチャネルに対応するダウンリンク（ＤＬ）チャネルのＤＬ測定に基づいて、決定するステップと、
前記ＷＴＲＵによって、第１のビームフォーミング情報を、前記決定されたアップリンクチャネルに基づいて、決定するステップと、
前記ＷＴＲＵによって、ネットワークエンティティから、送信用データをビームフォーミングするために、第２のビームフォーミング情報を受信するステップであって、前記第２のビームフォーミング情報は、（１）前記ＷＴＲＵによって前記ネットワークエンティティに送信された前記第１のビームフォーミング情報に基づき、または（２）前記ネットワークエンティティによってＵＬチャネル関連情報を使用して推測される、ステップと
を備える方法。
【請求項２】
前記ＷＴＲＵによって、ネットワークエンティティに、前記決定された第１のビームフォーミング情報を伝達するステップをさらに備える請求項１に記載の方法。
【請求項３】
前記ＷＴＲＵによって、前記送信用データを、前記第１および第２のビームフォーミング行列を使用して、ビームフォーミングするステップをさらに備える請求項１または２に記載の方法。
【請求項４】
前記第１のビームフォーミング情報は、前記ネットワークエンティティによって推測され、前記第１のビームフォーミング情報の前記ネットワークエンティティへの伝達を排除する請求項１乃至３いずれかに記載の方法。
【請求項５】
前記第１のビームフォーミング情報は、前記ネットワークエンティティにおいて、ＵＬチャネル統計に基づいて、推測される請求項１乃至４いずれかに記載の方法。
【請求項６】
前記ＵＬチャネル推定を前記ＵＬチャネルに対応する前記ＤＬチャネルの前記ＤＬ測定に基づいて決定する前記ステップは、
ＤＬチャネル推定を、ＤＬデータおよび／または制御送信内に埋め込まれたＤＬ基準シンボルまたは復調基準シンボルから導出するステップと、
前記ＵＬチャネル推定を前記ＤＬチャネル推定から決定するために使用される、線形変換または非線形変換を決定するステップと、
前記ＵＬチャネル推定を、前記ＤＬチャネル推定および前記決定された変換から生成するステップと
を含む請求項１乃至５いずれかに記載の方法。
【請求項７】
前記第１のビームフォーミング情報を前記決定されたアップリンクチャネルに基づいて決定する前記ステップは、前記第１のビームフォーミング情報を、前記ＵＬチャネル推定から、または前記ＵＬチャネル推定の共分散行列の固有ベクトルのすべてもしくはサブセットに基づいて導出するステップを備える請求項１乃至６いずれかに記載の方法。
【請求項８】
前記決定された第１のビームフォーミング情報を前記ネットワークエンティティに伝達する前記ステップは、
前記ＷＴＲＵによって、１つもしくは複数のプリコードされた基準信号、またはビームフォーミング行列もしくはビームフォーミングベクトルの表現のうちのいずれかを送信するステップ
を含む請求項１乃至７いずれかに記載の方法。
【請求項９】
前記１つまたは複数のプリコードされた基準信号を送信する前記ステップは、前記ネットワークエンティティに、前記第１のビームフォーミング情報を使用してプリコードされたサウンディング基準信号を伝達するステップを含み、
第２のビームフォーミング情報を受信する前記ステップは、前記ＷＴＲＵによって、前記ネットワークエンティティから、ペイロードを受信するステップを含み、
前記方法は、
前記ペイロードから、第２のビームフォーミング情報に関する行列インデックスを決定するステップと、
前記第２のビームフォーミング情報を、前記決定された行列インデックスから識別するステップと、
前記ＷＴＲＵによって、送信用データを、前記第１および第２のビームフォーミング情報を使用してビームフォーミングするステップと
をさらに備える請求項１乃至８いずれか記載の方法。
【請求項１０】
前記ビームフォーミング行列または前記ビームフォーミングベクトルの前記表現は、（１）行列インデックス（ＭＩ）、（２）前記ビームフォーミング行列もしくは前記ビームフォーミングベクトルについての値の圧縮されたセット、または（３）周波数および／もしくは時間にわたって前記ＷＴＲＵによって前記ネットワークエンティティに以前送信されたベクトル間の差を示す差分ＭＩもしくはベクトルのうちのいずれかを含む請求項１乃至９いずれかに記載の方法。
【請求項１１】
前記第２のビームフォーミング情報を受信する前記ステップは、前記第２のビームフォーミング情報が更新されるように、定期的または非定期的に発生する請求項１乃至１０いずれかに記載の方法。
【請求項１２】
前記第１のビームフォーミング情報は、（１）時間もしくは周波数における閾値よりも低いチャネル変動、または（２）時間もしくは周波数における前記閾値よりも高い前記チャネル変動のうちの一方を追跡し、前記第２のビームフォーミング情報は、（１）時間もしくは周波数における前記閾値よりも低い前記チャネル変動、または（２）時間もしくは周波数における前記閾値よりも高い前記チャネル変動のうちの他の一方を追跡する請求項１乃至１１いずれかに記載の方法。
【請求項１３】
前記ＤＬにおいて信号の到着角（ＡＯＡ）を測定するステップをさらに含み、前記ＵＬチャネル推定を、前記ＵＬチャネルに対応する前記ＤＬチャネルの前記ＤＬ測定に基づいて決定する前記ステップは、前記第１のビームフォーミング情報を、前記測定されたＡＯＡを使用して決定するステップを含む請求項１乃至１２いずれか一項に記載の方法。
【請求項１４】
前記第１のビームフォーミング情報を決定する前記ステップは、プリコーディングベクトルを、（１）ＤＬ信号受信のための受信機ビームもしくは受信機ビームインデックス、または（２）前記ネットワークエンティティによって、もしくはＤＬチャネルを介して提供されるチャネル状態情報（ＣＳＩ）のうちのいずれかに基づいて決定するステップを含み、
前記ＣＳＩは、（１）干渉関連情報、（２）ビーム関連情報、または（３）ＵＬ信号から測定されたＵＬチャネルのうちのいずれかを含む請求項１乃至１３いずれかに記載の方法。
【請求項１５】
前記第１のビームフォーミング情報を決定する前記ステップは、前記ネットワークエンティティから獲得された情報と関連付けられた第１の成分プリコーダを、前記ＷＴＲＵによって決定された第２の成分プリコーダと組み合わせるステップを含み、
前記第１の成分プリコーダは、（１）前記第２の成分プリコーダの基準よりも長い時間フレームと関連付けられた基準、または（２）前記第２の成分プリコーダの対応する帯域幅よりも広い対応する帯域幅のうちの一方に基づいて選択される
請求項１乃至１４いずれかに記載の方法。
【請求項１６】
無線送受信ユニット（ＷＴＲＵ）によって実施される方法であって、
前記ＷＴＲＵによって、アップリンク（ＵＬ）チャネル推定を、ＵＬチャネルに対応するダウンリンク（ＤＬ）チャネルのＤＬ測定に基づいて、決定するステップと、
干渉方向と関連付けられた干渉チャネルに関するペイロードを受信およびデコードするステップと、
ビームフォーミング行列インデックスを、前記デコードされたペイロードから決定するステップと、
ビームフォーミング行列またはビームフォーミングベクトルを、前記干渉チャネルが、前記ビームフォーミング行列または前記ビームフォーミングベクトルのヌル空間内にあるように、前記推定されたＵＬチャネルおよび前記干渉チャネルに基づいて、決定するステップと、
前記ＷＴＲＵによって、送信用データを、前記決定されたビームフォーミング行列または前記決定されたビームフォーミングベクトルを使用してビームフォーミングするステップと
を備える方法。
【請求項１７】
前記干渉チャネルに関する前記ペイロードを受信する前記ステップは、前記ＷＴＲＵによって、ネットワークエンティティを介して、前記干渉チャネルと関連付けられたビームフォーミング情報を含む前記ペイロードを受信するステップであって、前記干渉チャネルは、単一の干渉チャネル、または複数の干渉チャネルの合成である、ステップを含み、
前記ビームフォーミング行列または前記ビームフォーミングベクトルを決定する前記ステップは、前記ビームフォーミング行列または前記ビームフォーミングベクトルの列空間を、前記含まれるビームフォーミング情報によって示される行列またはベクトルの列空間に直交させるように、前記ビームフォーミング行列または前記ビームフォーミングベクトルを決定するステップを含む
請求項１６に記載の方法。
【請求項１８】
前記干渉チャネルに関する前記ペイロードを受信する前記ステップは、前記ＷＴＲＵによって、ネットワークエンティティを介して、干渉チャネルの方向を示す情報を受信するステップを含み、
前記ビームフォーミング行列または前記ビームフォーミングベクトルを決定する前記ステップは、前記示された方向を使用することを回避または実質的に回避するように、前記ビームフォーミング行列または前記ビームフォーミングベクトルを決定するステップを含む
請求項１６または１７に記載の方法。
【請求項１９】
前記干渉チャネルに関する前記ペイロードを受信する前記ステップは、前記ＷＴＲＵによって、ネットワークエンティティを介して、方向を示す情報を受信するステップを含み、
前記ビームフォーミング行列または前記ビームフォーミングベクトルを決定する前記ステップは、前記示された方向を使用するように、または使用することを回避するように、前記ビームフォーミング行列または前記ビームフォーミングベクトルを決定するステップを含む
請求項１６乃至１８いずれかに記載の方法。
【請求項２０】
無線送受信ユニット（ＷＴＲＵ）であって、
送受信ユニットと、
前記送受信ユニットと通信し、
アップリンク（ＵＬ）チャネル推定を、ＵＬチャネルに対応するダウンリンク（ＤＬ）チャネルのＤＬ測定に基づいて、決定することと、
第１のビームフォーミング情報を、前記決定されたアップリンクチャネルに基づいて、決定することと
を行うように構成された、プロセッサと
を備え、
前記送受信ユニットは、ネットワークエンティティから、送信用データをビームフォーミングするために、第２のビームフォーミング情報を受信するように構成され、前記第２のビームフォーミング情報は、（１）前記ＷＴＲＵによって前記ネットワークエンティティに送信された前記第１のビームフォーミング情報に基づき、または（２）前記ネットワークエンティティによってＵＬチャネル関連情報を使用して推測される
ＷＴＲＵ。
【請求項２１】
前記送受信ユニットは、前記ネットワークエンティティに、前記決定された第１のビームフォーミング情報を伝達するように構成され、前記第１のビームフォーミング情報は、前記ネットワークエンティティによって、ＵＬチャネル統計に基づいて、推測される請求項２０に記載のＷＴＲＵ。
【請求項２２】
前記送受信ユニットは、前記送信用データを、前記第１および第２のビームフォーミング行列を使用して、ビームフォーミングするように構成される請求項２０または２１に記載のＷＴＲＵ。
【請求項２３】
前記プロセッサは、
ＤＬチャネル推定を、ＤＬデータおよび／または制御送信内に埋め込まれたＤＬ基準シンボルまたは復調基準シンボルから導出することと、
前記ＵＬチャネル推定を前記ＤＬチャネル推定から決定するために使用される、線形変換または非線形変換を決定することと、
前記ＵＬチャネル推定を、前記ＤＬチャネル推定および前記決定された変換から生成することと
を行うように構成された請求項２０乃至２２いずれかに記載のＷＴＲＵ。
【請求項２４】
前記プロセッサは、前記第１のビームフォーミング情報を、前記ＵＬチャネル推定から、または前記ＵＬチャネル推定の共分散行列の固有ベクトルのすべてもしくはサブセットに基づいて導出するように構成される請求項２０乃至２３いずれかに記載のＷＴＲＵ。
【請求項２５】
前記送受信ユニットは、前記ネットワークエンティティに、１つもしくは複数のプリコードされた基準信号、またはビームフォーミング行列もしくはビームフォーミングベクトルの表現のうちのいずれかを送信するように構成される請求項２０乃至２４いずれかに記載のＷＴＲＵ。
【請求項２６】
前記送受信ユニットは、
前記ネットワークエンティティに、前記第１のビームフォーミング情報を使用してプリコードされたサウンディング基準信号を伝達することと、
前記ネットワークエンティティから、ペイロードを受信することと
を行うように構成され、
前記プロセッサは、
前記ペイロードから、第２のビームフォーミング情報に関する行列インデックスを決定することと、
前記第２のビームフォーミング情報を、前記決定された行列インデックスから識別することと
を行うように構成され、
前記送受信ユニットは、送信用データを、前記第１および第２のビームフォーミング情報を使用してビームフォーミングするように構成された
請求項２０乃至２５いずれかに記載のＷＴＲＵ。
【請求項２７】
前記プロセッサは、
前記ＤＬにおいて信号の到着角（ＡＯＡ）を測定することと、
前記第１のビームフォーミング情報を、前記測定されたＡＯＡを使用して決定することと
を行うように構成された請求項２０乃至２６いずれに記載のＷＴＲＵ。
【請求項２８】
前記プロセッサは、プリコーディングベクトルを、（１）ＤＬ信号受信のための受信機ビームもしくは受信機ビームインデックス、または（２）前記ネットワークエンティティによって、もしくはＤＬチャネルを介して提供されるチャネル状態情報（ＣＳＩ）のうちのいずれかに基づいて決定するように構成され、
前記ＣＳＩは、（１）干渉関連情報、（２）ビーム関連情報、または（３）ＵＬ信号から測定されたＵＬチャネルのうちのいずれかを含む
請求項２０乃至２７いずれかに記載のＷＴＲＵ。
【請求項２９】
前記プロセッサは、前記ネットワークエンティティから獲得された情報と関連付けられた第１の成分プリコーダを、前記ＷＴＲＵによって決定された第２の成分プリコーダと組み合わせるように構成され、
前記第１の成分プリコーダは、（１）前記第２の成分プリコーダの基準よりも長い時間フレームと関連付けられた基準、または（２）前記第２の成分プリコーダの対応する帯域幅よりも広い対応する帯域幅のうちの一方に基づいて選択された
請求項２０乃至２８いずれかに記載のＷＴＲＵ。
【請求項３０】
干渉方向と関連付けられた干渉チャネルに関するペイロードを受信およびデコードするように構成された、送受信ユニットと、
前記送受信ユニットと通信し、
アップリンク（ＵＬ）チャネル推定を、ＵＬチャネルに対応するダウンリンク（ＤＬ）チャネルのＤＬ測定に基づいて、決定することと、
ビームフォーミング行列を、前記デコードされたペイロードから決定することと、
ビームフォーミング行列またはビームフォーミングベクトルを、前記干渉チャネルが、前記ビームフォーミング行列または前記ビームフォーミングベクトルのヌル空間内にあるように、前記推定されたＵＬチャネルおよび前記干渉チャネルに基づいて、決定することと
を行うように構成された、プロセッサと
を備え、
前記送受信ユニットは、送信用データを、前記決定されたビームフォーミング行列または前記決定されたビームフォーミングベクトルを使用してビームフォーミングするように構成された
無線送受信ユニット（ＷＴＲＵ）。
【請求項３１】
前記送受信ユニットは、ネットワークエンティティを介して、前記干渉チャネルと関連付けられたビームフォーミング情報を含む前記ペイロードを受信することであって、前記干渉チャネルは、単一の干渉チャネル、または複数の干渉チャネルの合成である、受信することを行うように構成され、
前記プロセッサは、前記ビームフォーミング行列または前記ビームフォーミングベクトルの列空間を、前記含まれるビームフォーミング情報によって示される行列またはベクトルの列空間に直交させるように、前記ビームフォーミング行列または前記ビームフォーミングベクトルを決定するように構成された
請求項３０に記載のＷＴＲＵ。
【請求項３２】
前記送受信ユニットは、ネットワークエンティティを介して、干渉チャネルの方向を示す情報を受信するように構成され、
前記プロセッサは、前記示された方向を使用することを回避または実質的に回避するように、前記ビームフォーミング行列または前記ビームフォーミングベクトルを決定するように構成された
請求項３０または３１に記載のＷＴＲＵ。
【請求項３３】
前記送受信ユニットは、ネットワークエンティティを介して、方向を示す情報を受信するように構成され、
前記プロセッサは、前記示された方向を使用するように、または使用することを回避するように、前記ビームフォーミング行列または前記ビームフォーミングベクトルを決定するように構成された
請求項３０乃至３２いずれかに記載のＷＴＲＵ。
【発明の詳細な説明】
【技術分野】
【０００１】
本発明は、無線通信の分野に関し、より詳細には、ＵＬチャネル相反性（チャネル相互依存性：Channel reciprocity）を使用する方法、装置、システムおよび手順に関する。
【背景技術】
【０００２】
本出願は、２０１７年１月１３日に出願された米国仮特許出願第６２／４４５９４１号、２０１６年１１月２日に出願された米国仮特許出願第６２／４１６４７６号、２０１６年９月２８日に出願された米国仮特許出願第６２／４００９６９号、２０１６年８月１０日に出願された米国仮特許出願第６２／３７３２０３号に基づく優先権を主張し、それらの各々の内容は完全に説明されているかのように参照によって本明細書に組み込まれる。
【０００３】
一般に、従来の双方向通信システムは、チャネルフィードバックを有する。
【発明の概要】
【発明が解決しようとする課題】
【０００４】
チャネル相反性の利用は、無線通信システム（例えば、将来の無線通信システム）を可能にすることができる（例えば、それのための成功の鍵となることができる）。
【課題を解決するための手段】
【０００５】
ある代表的な実施形態においては、メッセージは、第１のプリコーディング制約情報として、（１）広帯域アンテナ重みのセット、（２）サブバンドアンテナ重みの１つもしくは複数のセット、（３）広帯域アンテナ重みの範囲、および／または（４）サブバンドアンテナ重みの１つもしくは複数の範囲のうちのいずれかを示す情報を含むことができる。
【０００６】
ある代表的な実施形態においては、ＷＴＲＵ１０２は、第２のプリコーディング制約情報として、メッセージ内において示されたアンテナ重みの中から、１つまたは複数の特定のアンテナ重みを選択することができる。
【０００７】
ある代表的な実施形態においては、メッセージは、第１のプリコーディング制約情報として、コードブックと関連付けられたコードワード、またはＷＴＲＵ１０２がＵＬ  ＭＩＭＯ通信のためにそこから選択すべきコードワードの特定のセットを示すこと、または含むことができる。
【０００８】
より詳細な理解は、本明細書に添付された図面と共に、例として与えられる、以下の詳細な説明から得ることができる。そのような図面内の図は、詳細な説明と同様に、例である。そのため、図および詳細な説明は、限定的と見なされるべきではなく、他の同等に効果的な例が、可能であり、存在する可能性がある。さらに、図内の同様の参照番号は、同様の要素を示す。
【図面の簡単な説明】
【０００９】
【図１】１つまたは複数の開示される実施形態を実施することができる、例示的な通信システムを示すシステム図である。
【図２】図１に示される通信システム内において使用することができる、例示的な無線送受信ユニット（ＷＴＲＵ）を示すシステム図である。
【図３】図１に示される通信システム内において使用できる、例示的無線アクセスネットワークおよび別の例示的コアネットワークを示すシステム図である。
【図４】図１に示される通信システム内において使用できる、別の例示的な無線アクセスネットワークおよび別の例示的コアネットワークを示すシステム図である。
【図５】図１に示される通信システム内において使用できる、さらなる例示的無線アクセスネットワークおよびさらなる例示的コアネットワークを示すシステム図である。
【図６】アップリンク（ＵＬ）多入力多出力（ＭＩＭＯ）のための非対称干渉（ＡＩ）回避のための代表的な手順を示す図である。
【図７】シングル空間ストリーム送信およびシングルコードブックを使用する代表的な手順を示す図である。
【図８】マルチ空間ストリーム送信およびシングルコードブックを使用する代表的な手順を示す図である。
【図９】ＷＴＲＵ支援干渉調整を使用する代表的な手順を示す図である。
【図１０Ａ】ビームフォームド送信ダイバーシティを使用する手順を示す図である。
【図１０Ｂ】ビームフォームド送信ダイバーシティを使用する手順を示す図である。
【図１１】干渉源を示す図である。
【図１２】ＷＴＲＵによって実施される代表的な方法を示す図である。
【図１３】ＷＴＲＵによって実施される別の代表的な方法を示す図である。
【図１４】ＷＴＲＵによって実施されるさらなる代表的な方法を示す図である。
【図１５】ＷＴＲＵによって実施される追加の代表的な方法を示す図である。
【図１６】ＷＴＲＵによって実施されるまたさらなる代表的な方法を示す図である。
【図１７】ＷＴＲＵによって実施されるまた追加の代表的な方法を示す図である。
【図１８】ＷＴＲＵによって実施されるまた別の代表的な方法を示す図である。
【図１９】ＮＥによって実施される代表的な方法を示す図である。
【図２０】ＮＥによって実施される別の代表的な方法を示す図である。
【図２１】ＮＥによって実施されるさらなる代表的な方法を示す図である。
【図２２】ＮＥによって実施される追加の代表的な方法を示す図である。
【図２３】送信ダイバーシティモードのためにＷＴＲＵによって実施されるさらなる代表的な方法を示す図である。
【図２４】ＵＬ ＭＩＭＯ通信管理のためＷＴＲＵで実施される代表的方法の図である。
【図２５】ＵＬ ＭＩＭＯ通信管理のためＮＥで実施される代表的方法の図である。
【発明を実施するための形態】
【００１０】
方法、装置、およびシステムが、開示される。無線送受信ユニットによって実施される１つの代表的な方法は、第１のビームフォーミング行列を決定するステップと、ネットワークエンティティに、第１のビームフォーミング行列の表示を送信するステップと、ネットワークエンティティから、ネットワークエンティティによって少なくとも第１のビームフォーミング行列から決定された第２のビームフォーミング行列の表示を、送信用データをビームフォーミングするために受信するステップとを含む。
【００１１】
説明的な実施形態についての詳細な説明を、図を参照して、今から行うことができる。しかしながら、本発明は、代表的な実施形態との関連において説明することができるが、それは、それに限定されず、他の実施形態を使用することができること、または本発明と同じ機能を実行するために、それから逸脱することなく、説明される実施形態に変更および追加を施すことができることが、理解されるべきである。
【００１２】
代表的な実施形態は、これ以降、一般に、無線ネットワークアーキテクチャを使用して示されるが、例えば、有線構成要素および／または無線構成要素を有するネットワークを含む、任意の数の異なるネットワークアーキテクチャを使用することができる。
【００１３】
図１は、１つまたは複数の開示される実施形態を実施することができる、例示的な通信システム１００を示す図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能することができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【００１４】
図１に示されるように、通信システム１００は、無線送受信ユニット（ＷＴＲＵ）１０２ａ、１０２ｂ、１０２ｃ、１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された、任意のタイプのデバイスとすることができる。例として、ＷＴＲＵ１０２ａ、１０２ｂ、１０２ｃ、１０２ｄは、無線信号を送信および／または受信するように構成することができ、ユーザ機器（ＵＥ）、移動局、固定または移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含むことができる。ＷＴＲＵ１０２ａ、１０２ｂ、１０２ｃ、１０２ｄは、交換可能に、ＵＥとも呼ばれる。
【００１５】
通信システム１００は、基地局１１４ａおよび／または基地局１１４ｂも含むことができる。基地局１１４ａ、１１４ｂの各々は、コアネットワーク１０６／１０７／１０９、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスとすることができる。例として、基地局１１４ａ、１１４ｂは、基地送受信機局（ＢＴＳ）、ノードＢ、ｅノードＢ（またはｅＮＢ）、ｇノードＢ（ｇＮＢ）、ホームノードＢ、ホームｅノードＢ、サイトコントローラ、アクセスポイント（ＡＰ）、および無線ルータなどとすることができる。基地局１１４ａ、１１４ｂは、各々が、単一の要素として示されているが、基地局１１４ａ、１１４ｂは、任意の数の相互接続された基地局および／またはネットワーク要素を含むことができることが理解されよう。
【００１６】
基地局１１４ａは、ＲＡＮ１０３／１０４／１０５の部分とすることができ、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において無線信号を送信および／または受信するように構成することができる。セルは、さらにセルセクタに分割することができる。例えば、基地局１１４ａと関連付けられたセルは、３つのセクタに分割することができる。したがって、一実施形態においては、基地局１１４ａは、送受信機を３つ、例えば、セルのセクタ毎に１つずつ含むことができる。別の実施形態においては、基地局１１４ａは、多入力多出力（ＭＩＭＯ）技術を利用することができ、セルのセクタ毎に複数の送受信機を利用することができる。
【００１７】
基地局１１４ａ、１１４ｂは、エアインターフェース１１５／１１６／１１７上において、ＷＴＲＵ１０２ａ、１０２ｂ、１０２ｃ、１０２ｄのうちの１つまたは複数と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立することができる。
【００１８】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ）を使用してエアインターフェース１１５／１１６／１１７を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速ＵＬパケットアクセス（ＨＳＵＰＡ）を含むことができる。
【００１９】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立することができる、進化型ＵＭＴＳ地上無線アクセス（Ｅ−ＵＴＲＡ）などの無線技術を実施することができる。
【００２０】
他の実施形態においては、基地局１１４ａ、およびＷＴＲＵ１０２ａ、１０２ｂ、１０２ｃは、ＩＥＥＥ８０２．１１（すなわち、ワイヤレスフィデリティ：ＷｉＦｉ）、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用高速データレート（ＥＤＧＥ）、およびＧＳＭ  ＥＤＧＥ（ＧＥＲＡＮ）などの無線技術を実施することができる。
【００２１】
図１の基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を容易にするために、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態においては、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂ、およびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図１に示されるように、基地局１１４ｂは、インターネット１１０への直接的な接続を有することがある。したがって、基地局１１４ｂは、コアネットワーク１０６／１０７／１０９を介してインターネット１１０にアクセスする必要がないことがある。
【００２２】
ＲＡＮ１０３／１０４／１０５は、コアネットワーク１０６／１０７／１０９と通信することができ、コアネットワーク１０６／１０７／１０９は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６／１０７／１０９は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１には示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０３／１０４／１０５に接続するのに加えて、コアネットワーク１０６／１０７／１０９は、ＧＳＭ、ＵＭＴＳ、ＣＤＭＡ  ２０００、ＷｉＭＡＸ、またはＷｉＦｉ無線技術を利用する別のＲＡＮ（図示されず）とも通信することができる。コアネットワーク１０６／１０７／１０９は、例えば、とりわけ、（１）５Ｇ対応コアネットワーク、（２）４Ｇ対応コアネットワーク、（３）３Ｇ対応コアネットワーク、（４）２Ｇ対応コアネットワーク、（５）ＬＴＥ−Ａ対応コアネットワーク、（６）ＬＴＥ対応コアネットワーク、（７）ＧＥＲＡＮ対応コアネットワーク、（８）ＵＴＲＡＮ対応コアネットワーク、および／または（９）ＵＭＴＳ対応コアネットワークのうちのいずれか、または任意の組み合わせとして、使用することができる。
【００２３】
コアネットワーク１０６／１０７／１０９は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、および／またはインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線および／または無線通信ネットワークを含むことができる。例えば、ネットワーク１１２は、ＲＡＮ１０３／１０４／１０５と同じＲＡＴまたは異なるＲＡＴを利用することができる１つまたは複数のＲＡＮに接続された、別のコアネットワークを含むことができる。
【００２４】
通信システム１００内のＷＴＲＵ１０２ａ、１０２ｂ、１０２ｃ、１０２ｄのいくつかまたはすべては、マルチモード機能を含むことができる（例えば、ＷＴＲＵ１０２ａ、１０２ｂ、１０２ｃ、１０２ｄは、異なる無線リンク上において異なる無線ネットワークと通信するための複数の送受信機を含むことができる）。例えば、図１に示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。通信システム１００内のＷＴＲＵ１０２ａ、１０２ｂ、１０２ｃ、１０２ｄのいくつかまたはすべては、Ｂｌｕｅｔｏｏｔｈ技術を使用して、他のデバイスと通信することができる。
【００２５】
図２は、例示的なＷＴＲＵ１０２を示すシステム図である。図２に示されるように、ＷＴＲＵ１０２は、とりわけ、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。
【００２６】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入力／出力処理、および／またはＷＴＲＵ１０２が無線環境で動作することを可能にする他の任意の機能性を実行することができる。プロセッサ１１８は、送受信機１２０に結合することができ、送受信機１２０は、送信／受信要素１２２に結合することができる。図２は、プロセッサ１１８と送受信機１２０を別個の構成要素として示しているが、プロセッサ１１８と送受信機１２０は、電子パッケージまたはチップ内に一緒に統合することができることが理解されよう。
【００２７】
送信／受信要素１２２は、エアインターフェース１１５／１１６／１１７上において、基地局（例えば、基地局１１４ａ）に信号を送信し、および／または基地局から信号を受信するように構成することができる。例えば、一実施形態においては、送信／受信要素１２２は、ＲＦ信号を送信および／または受信するように構成されたアンテナとすることができる。別の実施形態においては、送信／受信要素１２２は、例えば、ＩＲ、ＵＶ、または可視光信号を送信および／または受信するように構成された放射器／検出器とすることができる。また別の実施形態においては、送信／受信要素１２２は、ＲＦ信号および光信号の両方を送信および／または受信するように構成することができる。送信／受信要素１２２は、無線信号の任意の組み合わせを送信および／または受信するように構成することができることが理解されよう。
【００２８】
図２においては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１５／１１６／１１７上において無線信号を送信および／または受信するための２つ以上の送信／受信要素１２２（例えば、複数のアンテナ）を含むことができる。
【００２９】
送受信機１２０は、送信／受信要素１２２によって送信されることになる信号を変調し、および／または送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【００３０】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００３１】
プロセッサ１１８は、電源１３４から電力を受け取ることができ、ＷＴＲＵ１０２内の他の構成要素への電力の分配および／または制御を行うよう構成できる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３２】
プロセッサ１１８は、ＧＰＳチップセット１３６に結合することができ、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００３３】
プロセッサ１１８は、他の周辺機器１３８に結合することができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真および／またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、ならびにインターネットブラウザなどを含むことができる。
【００３４】
ＷＴＲＵ１０２は、（例えば、（例えば、送信用の）アップリンクＵＬおよび（例えば、受信用の）ダウンリンクＤＬの両方のための特定のサブフレームと関連付けられた）信号のうちのいくつかまたはすべての送信および受信が、例えば、部分的または完全に、並列および／または同時であることができる、全二重無線を含むことができる。無線（例えば、全二重無線）は、ハードウェア（例えば、チョーク）を介して、またはプロセッサ（例えば、別個のプロセッサ（図示されず）もしくはプロセッサ１１８）を介する信号処理を介して、ＳＩＮＦＴを低減させ、および／または実質的に除去するために、干渉管理ユニット１３９を含むことができる。
【００３５】
図３は、別の実施形態による、ＲＡＮ１０３およびコアネットワーク１０６を示すシステム図である。上で言及されたように、ＲＡＮ１０３は、ＵＴＲＡ無線技術を利用して、エアインターフェース１１５上においてＷＴＲＵ１０２ａ、１０２ｂ、１０２ｃと通信することができる。ＲＡＮ１０３は、コアネットワーク１０６と通信することもできる。図３に示されるように、ＲＡＮ１０３は、ノードＢ１４０ａ、１４０ｂ、１４０ｃを含むことができ、ノードＢ１４０ａ、１４０ｂ、１４０ｃは、各々が、エアインターフェース１１５上においてＷＴＲＵ１０２ａ、１０２ｂ、１０２ｃと通信するための１つまたは複数の送受信機を含むことができる。ノードＢ１４０ａ、１４０ｂ、１４０ｃは、各々、ＲＡＮ１０３内の特定のセル（図示されず）に関連付けることができる。ＲＡＮ１０３は、ＲＮＣ１４２ａ、１４２ｂを含むこともできる。ＲＡＮ１０３は、実施形態との整合性を保ちながら、任意の数のノードＢおよびＲＮＣを含むことができることが理解されよう。
【００３６】
図３に示されるように、ノードＢ１４０ａ、１４０ｂは、ＲＮＣ１４２ａと通信することができる。加えて、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して、互いに通信することができる。ＲＮＣ１４２ａ、１４２ｂの各々は、それが接続されたそれぞれのノードＢ１４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能性を実施またはサポートするよう構成することができる。
【００３７】
図３に示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素のうちのいずれの１つも、コアネットワークオペレータとは異なるエンティティによって所有および／または運営できることが理解されよう。
【００３８】
ＲＡＮ１０３内のＲＮＣ１４２ａは、ＩｕＣＳインターフェースを介して、コアネットワーク１０６内のＭＳＣ１４６に接続することができる。ＭＳＣ１４６は、ＭＧＷ１４４に接続することができる。ＭＳＣ１４６およびＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。
【００３９】
ＲＡＮ１０３内のＲＮＣ１４２ａは、ＩｕＰＳインターフェースを介して、コアネットワーク１０６内のＳＧＳＮ１４８に接続することもできる。ＳＧＳＮ１４８は、ＧＧＳＮ１５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００４０】
上で言及されたように、コアネットワーク１０６は、他のネットワーク１１２に接続することもでき、ネットワーク１１２は、他のサービスプロバイダによって所有および／または運営される他の有線および／または無線ネットワークを含むことができる。
【００４１】
図４は、実施形態による、ＲＡＮ１０４およびコアネットワーク１０７を示すシステム図である。上で言及されたように、ＲＡＮ１０４は、エアインターフェース１１６上においてＷＴＲＵ１０２ａ、１０２ｂ、１０２ｃと通信するために、Ｅ−ＵＴＲＡ無線技術を利用することができる。ＲＡＮ１０４は、コアネットワーク１０７と通信することもできる。
【００４２】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、および／またはＷＴＲＵ１０２ａから無線信号を受信することができる。
【００４３】
ｅノードＢ１６０ａ、１６０ｂ、１６０ｃの各々は、特定のセル（図示されず）に関連付けることができ、無線リソース管理決定、ハンドオーバ決定、ならびにＵＬおよび／またはＤＬにおけるユーザのスケジューリングなどを処理するように構成することができる。図４に示されるように、ｅノードＢ１６０ａ、１６０ｂ、１６０ｃは、Ｘ２インターフェース上において互いに通信することができる。ｅノードＢは、（例えば、干渉管理ユニットを有する）ＷＴＲＵのそれに類似した全二重無線を含むことができる。図４に示されるコアネットワーク１０７は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含むことができる。上記の要素の各々は、コアネットワーク１０７の部分として示されているが、これらの要素のうちのいずれも、コアネットワークオペレータとは異なるエンティティによって所有および／または運営することができることが理解されよう。
【００４４】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担うことができる。ＭＭＥ１６２は、ＲＡＮ１０４と、ＧＳＭおよび／またはＷＣＤＭＡなどの他の無線技術を利用する他のＲＡＮ（図示されず）との間の交換のためのコントロールプレーン機能を提供することができる。
【００４５】
サービングゲートウェイ１６４は、Ｓ１インターフェースを介して、ＲＡＮ１０４内のｅノードＢ１６０ａ、１６０ｂ、１６０ｃの各々に接続することができる。サービングゲートウェイ１６４は、一般に、ユーザデータパケットのＷＴＲＵ１０２ａ、１０２ｂ、１０２ｃへの／からのルーティングおよび転送を行うことができる。サービングゲートウェイ１６４は、ｅノードＢ間ハンドオーバ中におけるユーザプレーンのアンカリング、ＤＬデータがＷＴＲＵ１０２ａ、１０２ｂ、１０２ｃに利用可能なときのページングのトリガ、ならびにＷＴＲＵ１０２ａ、１０２ｂ、１０２ｃのコンテキストの管理および記憶など、他の機能を実行することができる。
【００４６】
サービングゲートウェイ１６４は、ＰＤＮゲートウェイ１６６に接続することができ、ＰＤＮゲートウェイ１６６は、インターネット１１０等のパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００４７】
コアネットワーク１０７は、他のネットワークとの通信を容易にすることができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。例えば、コアネットワーク１０７は、コアネットワーク１０７とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、コアネットワーク１０７は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。
【００４８】
図５は、実施形態による、ＲＡＮ１０５およびコアネットワーク１０９を示すシステム図である。ＲＡＮ１０５は、ＩＥＥＥ８０２．１６無線技術を利用して、エアインターフェース１１７上においてＷＴＲＵ１０２ａ、１０２ｂ、１０２ｃと通信する、アクセスサービスネットワーク（ＡＳＮ）とすることができる。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義できる。
【００４９】
図５に示されるように、ＲＡＮ１０５は、基地局１８０ａ、１８０ｂ、１８０ｃと、ＡＳＮゲートウェイ１８２とを含むことができるが、ＲＡＮ１０５は、実施形態との整合性を保ちながら、任意の数の基地局およびＡＳＮゲートウェイを含むことができることが理解されよう。基地局１８０ａ、１８０ｂ、１８０ｃは、各々、ＲＡＮ１０５内の特定のセル（図示されず）に関連付けることができ、各々が、エアインターフェース１１７上においてＷＴＲＵ１０２ａ、１０２ｂ、１０２ｃと通信するための１つまたは複数の送受信機を含むことができる。一実施形態においては、基地局１８０ａ、１８０ｂ、１８０ｃは、ＭＩＭＯ技術を実施することができる。基地局１８０ａは、例えば、複数のアンテナを使用して、ＷＴＲＵ１０２ａに無線信号を送信し、および／またはＷＴＲＵ１０２ａから無線信号を受信することができる。基地局１８０ａ、１８０ｂ、１８０ｃは、ハンドオフトリガリング、トンネル確立、無線リソース管理、トラフィック分類、およびサービス品質（ＱｏＳ）ポリシ実施などの、モビリティ管理機能を提供することもできる。ＡＳＮゲートウェイ１８２は、トラフィック集約ポイントとしての役割を果たすことができ、ページング、加入者プロファイルのキャッシング、およびコアネットワーク１０９へのルーティングなどを担うことができる。
【００５０】
ＷＴＲＵ１０２ａ、１０２ｂ、１０２ｃとＲＡＮ１０５との間のエアインターフェース１１７は、ＩＥＥＥ８０２．１６仕様を実施する、Ｒ１参照点として定義することができる。加えて、ＷＴＲＵ１０２ａ、１０２ｂ、１０２ｃの各々は、コアネットワーク１０９との論理インターフェース（図示されず）を確立することができる。ＷＴＲＵ１０２ａ、１０２ｂ、１０２ｃとコアネットワーク１０９との間の論理インターフェースは、Ｒ２参照点として定義することができ、Ｒ２参照点は、認証、認可、ＩＰホスト構成管理、および／またはモビリティ管理のために使用することができる。
【００５１】
基地局１８０ａ、１８０ｂ、１８０ｃの各々の間の通信リンクは、Ｒ８参照点として定義することができ、Ｒ８参照点は、ＷＴＲＵハンドオーバおよび基地局間におけるデータの転送を容易にするためのプロトコルを含む。基地局１８０ａ、１８０ｂ、１８０ｃとＡＳＮゲートウェイ１８２との間の通信リンクは、Ｒ６参照点として定義することができる。Ｒ６参照点は、ＷＴＲＵ１０２ａ、１０２ｂ、１０２ｃの各々に関連付けられたモビリティイベントに基づいたモビリティ管理を容易にするためのプロトコルを含むことができる。
【００５２】
図５に示されるように、ＲＡＮ１０５は、コアネットワーク１０９に接続することができる。ＲＡＮ１０５とコアネットワーク１０９との間の通信リンクは、Ｒ３参照点として定義することができ、Ｒ３参照点は、例えば、データ転送およびモビリティ管理機能を容易にするためのプロトコルを含む。コアネットワーク１０９は、モバイルＩＰホームエージェント（ＭＩＰ−ＨＡ）１８４と、認証認可課金（ＡＡＡ）サーバ１８６と、ゲートウェイ１８８とを含むことができる。上記の要素の各々は、コアネットワーク１０９の部分として示されているが、これらの要素のうちのいずれも、コアネットワークオペレータとは異なるエンティティによって所有および／または運営することができることが理解されよう。
【００５３】
ＭＩＰ−ＨＡ１８４は、ＩＰアドレス管理を担うことができ、ＷＴＲＵ１０２ａ、１０２ｂ、１０２ｃが、異なるＡＳＮおよび／または異なるコアネットワークの間においてローミングを行うことを可能にすることができる。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＡＡＡサーバ１８６は、ユーザ認証、およびユーザサービスのサポートを担うことができる。ゲートウェイ１８８は、他のネットワークとのインターワーキングを容易にすることができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にできる。ゲートウェイ１８８は、他のネットワーク１１２へのアクセスをＷＴＲＵ１０２ａ、１０２ｂ、１０２ｃに提供することができ、ネットワーク１１２は、他のサービスプロバイダによって所有および／または運営される他の有線および／または無線ネットワークを含むことができる。
【００５４】
図５には示されていないが、ＲＡＮ１０５は、他のＡＳＮに接続することができ、他のＲＡＮ（例えば、ＲＡＮ１０３および／もしくは１０４）ならびに／またはコアネットワーク１０９は、他のコアネットワーク（例えば、コアネットワーク１０６および／または１０７）に接続することができることが理解されよう。ＲＡＮ１０５と他のＡＳＮとの間の通信リンクは、Ｒ４参照点として定義することができ、Ｒ４参照点は、ＲＡＮ１０５と他のＡＳＮとの間においてＷＴＲＵ１０２ａ、１０２ｂ、および／または１０２ｃのモビリティを調整するためのプロトコルを含むことができる。コアネットワーク１０９と他のコアネットワークとの間の通信リンクは、Ｒ５参照点として定義することができ、Ｒ５参照は、ホームコアネットワークと在圏コアネットワークとの間のインターワーキングを容易にするためのプロトコルを含むことができる。
【００５５】
図１〜図５においては、ＷＴＲＵは、無線端末として説明されたが、ある代表的な実施形態においては、そのような端末は、通信ネットワークとの有線通信インターフェースを（例えば、一時的または永続的に）使用することができることが企図されている。
【００５６】
ある代表的な実施形態においては、ニューラジオ（ＮＲ）のための方法、装置、および／またはシステムを実施することができ、それらは、チャネル相反性（Channel reciprocity）を使用することができる。（例えば、時分割複信（ＴＤＤ）のための）チャネル相反性ベースのＵＬ  ＭＩＭＯを可能にするプロセスおよび／または手順は、部分的な相反性および／または完全な相反性を含むことができる。
【００５７】
例えば、ある代表的な動作、手順、および／または方法は、とりわけ、（１）ＵＬ角度相反性、（２）ＭＩＭＯ（例えば、ＵＬ  ＭＩＭＯおよび／もしくはＤＬ  ＭＩＭＯ）のためのＡＩ回避、（３）（例えば、（ｉ）シングル空間ストリーム送信およびシングルコードブック、（ｉｉ）シングルコードブックを用いるマルチ空間ストリーム送信、および／もしくは（ｉｉｉ）ダブルコードブックを用いるマルチ空間ストリーム送信など）干渉フィードバックに基づいたＵＬマルチユーザ（ＭＵ）−ＭＩＭＯ、（４）プリコードされたサウンディング基準信号（ＳＲＳ）に基づいたＵＬ  ＭＵ−ＭＩＭＯ、（５）ＵＬビームフォームド相反性、（６）ＷＴＲＵにおける非対称干渉を用いるＤＬチャネル測定、（７）コードブックを介するもしくは用いるＵＬチャネル相反性ビームフォーミング、（８）ＷＴＲＵ自律的ＵＬプリコーディング決定を無効化するアクセスポイント（ＡＰ）（例えば、ｅＮＢ、ｇＮＢ、もしくは他のＡＰ）、（９）ＷＴＲＵ較正表示、ならびに／または（１０）ビームフォームド送信ダイバーシティを使用することができる。
【００５８】
ほとんどの実施形態は、ＵＬ  ＭＩＭＯに関連するが、当業者は、ある実施形態が、ビームフォーミング動作を含むことができる大規模ＭＩＭＯにも同様に関連することができることを理解する。
【００５９】
ＬＴＥシステムにおいては、ＤＬチャネル相反性を使用している。例えば、基地局（ＢＳ）は、ＵＬサウンディング基準信号送信を通して、チャネル情報を獲得することができ、ＤＬデータおよび／または制御送信をプリコード（例えば、ビームフォーミング）するために、チャネル情報を適用することができる。大規模アンテナアレイシステムの場合、チャネル相反性に基づいた方式は、フィードバックオーバヘッドの低減（例えば、著しい低減）をもたらすことができ、実用的な配備において使用することができる（例えば、適切であることができる）。次世代のモバイル通信システムについては、ＴＤＤが主要な動作モードであることができること、および高周波数バンドのために、大規模アンテナアレイシステムを使用することができることが、企図されている。チャネル相反性の利用は、無線通信システム（例えば、将来の無線通信システム）を可能にすることができる（例えば、それのための成功の鍵となることができる）。
【００６０】
ある代表的な実施形態においては、ある周波数バンドのために（例えば、中間および／または（例えば、閾値を上回る）より高い周波数バンドのために）、ＷＴＲＵサイドにおける（例えば、閾値よりも多くの）多数のアンテナ素子（の、例えば、セットおよび／またはアレイ）を実施することができる。例えば、より高い周波数においては、アンテナのサイズおよび／もしくはそれの複雑さを低減させることができる。次世代のモバイル通信システムのために、ＷＴＲＵは、より高い周波数バンドにおいて動作することができ、例えば、ＵＬにおけるビームフォーミングを可能にするために、ＷＴＲＵサイドにおいて大きいアンテナアレイを使用することができることが企図されている。ある代表的な実施形態においては、チャネル相反性は、例えば、ＵＬチャネル状態情報（ＣＳＩ）を推定するために、実施することができる。
【００６１】
ニューラジオ（ＮＲ）ネットワークにおいては、ＷＴＲＵベースのマルチプル送信を実施することができる。例えば、ＷＴＲＵベースのマルチプル送信は、ｇＮＢ支援（ｇＮＢ  ａｓｓｉｓｔｅｄ）ＷＴＲＵ  ＭＩＭＯ、ｇＮＢ駆動（ｇＮＢ−ｄｒｉｖｅｎ）ＷＴＲＵ  ＭＩＭＯ、および／またはｇＮＢ指令（ｇＮＢ  ｄｉｒｅｃｔｅｄ）ＷＴＲＵ  ＭＩＭＯを含むことができる。
【００６２】
例えば、ｇＮＢ駆動ＷＴＲＵ  ＭＩＭＯにおいては、ｇＮＢは、ＷＴＲＵ  ＭＩＭＯ方式／動作／手順を制御することができる。ｇＮＢは、ＭＩＭＯ送信のためにＷＴＲＵが使用すべき、多数のアンテナ方式およびアンテナ重みを識別することができる。例えば、代表的な方式／動作／手順は、以下のうちのいずれかを含むことができる。
（２６）ＷＴＲＵは、多次元ＳＲＳをｇＮＢに送信することができる（例えば、（例えば、より高い周波数送信および／もしくはデジタルビームフォームド設計／動作などのためのアナログビームベースの設計／動作のケースにおいては）次元は、ＷＴＲＵの送信アンテナおよび／もしくはＷＴＲＵの有効送信ビームに基づくことができる。
（２７）ｇＮＢは、ＳＲＳに基づいて、有効アップリンクＭＩＭＯチャネルを推定することができ、および／もしくは最良のプリコーダを推定することができる。
（２８）ｇＮＢは、ＷＴＲＵに送信されるメッセージ（例えばシグナリング）内において（例えば、ダウンリンク制御チャネル上において、ＵＬグラント内において、および／もしくは他の制御シグナリング内において）ＷＴＲＵによって使用されるプリコーダを示すこと、および／もしくは含めることができる（例えば、コードブック（例えば、良好に設計されたコードブック）に属するコードワードおよび／もしくはプリコーディング／ビームフォーミング行列インデックス（ＰＭＩ）をＷＴＲＵに送信することによって、プリコーダを示すことができる。ＷＴＲＵによって使用されるプリコーダを明示的に送信することによって、プリコーダを含めることができる）。ならびに／または
（２９）ＷＴＲＵは、示されたまたは含められたプリコーダを使用して、情報をｇＮＢに送信することができる。
【００６３】
ｇＮＢ駆動ＷＴＲＵ  ＭＩＭＯは、一般化されたＵＬ  ＭＵ  ＭＩＭＯに適することができ、ＷＴＲＵをシングルストリーム送信に制限することがあり、または制限しないことがある。例えば、ある代表的な実施形態においては、ｇＮＢは、多数のＵＬ  ＷＴＲＵ間における干渉を制限する、および／または低減させるために、ＷＴＲＵ  ＭＩＭＯプリコーダを選択することができる。
【００６４】
自律的なＷＴＲＵ  ＭＩＭＯおよび／またはＷＴＲＵ指令ＭＩＭＯにおいては、ＷＴＲＵは、ＷＴＲＵがＭＩＭＯ（例えば、ＵＬ  ＭＩＭＯ）送信のために使用することができる、多数のアンテナ方式およびアンテナ重みを、自律的に決め、および／または決定することができる。例えば、このケースにおいては、ＷＴＲＵは、チャネルを知ることが必要となることがあり、および／またはチャネルを決定できる（例えば、チャネル推定）。ＷＴＲＵは、例えば、ＷＴＲＵによって送信されたＵＬ多次元ＳＲＳに基づいて、ｇＮＢ（および／または別のネットワークエンティティ）によって、それに供給される（例えば、それにフィードバックとして転送される）、チャネル（例えば、チャネル推定）を有することができる。ＷＴＲＵは、推定されたチャネルを使用して、プリコーダを導出することができ、および／または（例えば、推定されたチャネル情報／導出されたプリコーダ情報を使用して）情報をｇＮＢに送信することができる。
【００６５】
次世代のモバイル通信システムのためのＵＬビームフォーミングの使用は、システムの性能を強化することができ、制御およびフィードバックシグナリングに対する影響（例えば、最小限の影響）を有することができる。ある代表的な実施形態は、例えば、ユーザプレーンおよび／またはコントロールプレーンにおける性能を改善するために、チャネル（例えば、通信チャネル）の相反性特性を強化するために使用することができる装置、動作、手順、および／または方法を含むことができる。あるチャネル相反性動作、手順、および／または方法とともに、（例えば、非対称な干渉および／または測定の不正確性などの、チャネル相反性と関連付けられた２次的問題を緩和するための）支援メカニズムを使用することができる。
【００６６】
チャネル相反性の有効性は、（１）チャネル時間コヒーレンシ、（２）チャネル周波数コヒーレンシ、（３）送信機における干渉、および／または（４）受信機における干渉のうちのいずれかに依存することができる。ＷＴＲＵ受信機におけるＤＬ内の干渉の源泉（例えば、主要な源泉）は、近隣基地局であることができ、基地局におけるＵＬ内の干渉の源泉（例えば、主要な源泉）は、セル間およびセル内ＷＴＲＵであることができる。ＤＬチャネル情報は、ＵＬについてのチャネルの推定として、ＷＴＲＵによって使用（例えば、直接的に使用）されないことがあり、または逆も同様である（例えば、ＵＬチャネル情報は、ＤＬについてのチャネルの推定として、基地局によって使用（例えば、直接的に使用）されないことがある）。
【００６７】
ＵＬ内においてＭＵ−ＭＩＭＯ動作モードを使用する従来のシステムの場合、基地局は、例えば、ＷＴＲＵからの送信間における良好な直交性を維持するために、プリコーディングベクトルをＷＴＲＵに伝達することができる。ある代表的な実施形態においては、ＵＬチャネル相反性の場合、ＷＴＲＵは、それのＵＬビームフォーミング／プリコーディングベクトル／行列を決定する（例えば、ネットワーク制御なしに、例えば、自律的に決定する）ことができる。ＭＵ−ＭＩＭＯのケースにおいては、（例えば、多数の同時スケジュールされたＷＴＲＵが、基地局受信機において、互いに干渉しないことを保証するのに）、例えば、適した、装置、動作、および／または手順を使用することができる。
【００６８】
ＵＬ完全チャネル相反性のための代表的な手順
例えば、約３０ＧＨｚと３００ＧＨｚとの間の範囲内のｍｍＷバンド内におけるビームフォーミングは、とりわけ、（１）フィードバック（例えば、正確なフィードバック）手順を使用することができ、および／または（２）コードブック（例えば、効率的に設計されたコードブック）を使用することができる。モバイルユニット、例えば、ＷＴＲＵは、例えば、ｍｍ波（例えば、より高い周波数バンド）を使用する、またはｍｍ波において動作するアンテナの、例えば、より小さい（例えば、きわめてより小さい）サイズのために、多数のアンテナを備えることができる。代表的な実施は、交差偏波された、または相関させられたＮH×ＮVアンテナアレイシステムに基づくことができる（ＨおよびＶは、水平偏波および垂直偏波を表す）。（円偏波など）他のタイプの偏波に基づく実施も使用することができる。アンテナの数が、増加するにつれて、より多数の要素を有するコードブックを使用することができる（例えば、チャネルに従った、例えば、正確なビームフォーミングを容易にするために、より多数の要素を有するコードブックが、適切であることができる）。ある代表的な実施形態においては、例えば、大きいコードブックの実施（例えば、より大きいコードブックおよび／または要素の閾値数を上回るコードブックの必要性）、ならびに（例えば、送信機と受信機との間におけるコードブック値の伝達と関連付けられた）大きいフィードバックオーバヘッドを排除する、または実質的に低減させるために、チャネル相反性を使用して、ＵＬチャネルを推定することができる。ＵＬチャネルは、観測されたＤＬチャネルから、
【００６９】
【数１】
2019528613.tif 000003
【００７０】
と（例えば、直接的に）推定することができ、ＵＬビームフォーマ設計のために使用することができる。
【００７１】
現実のシステムにおいては、ＤＬ測定の正確性は、とりわけ、（１）ノイズ、（２）ＵＬ／ＤＬ非対称干渉、および／または（３）ハードウェア機能障害など、数々の要因のせいで、低減および／または制限されることがある。ある代表的な実施形態においては、ビームフォーミングは、推定される
【００７２】
【数２】
2019528613.tif 000004
【００７３】
の、共分散行列
【００７４】
【数３】
2019528613.tif 000005
【００７５】
などの、統計量に基づくことができる。
【００７６】
ＦＤＤベースのシステムにおいては、例えば、ＵＬとＤＬとの間の周波数差が、閾値量以内にある（例えば、チャネルの特性に大きな違いを生じさせるのに十分なほど著しくない）という条件において、またはそれが成り立つ限り、ＵＬビームフォーミングのために、ＤＬ共分散行列を使用することが企図されている。何らかの差が存在することがあるケースにおいては、ＵＬチャネルを推定するために、ＤＬチャネルに対する線形または非線形変換を使用することができる。
【００７７】
ＵＬチャネル相反性の利点は、以下のうちの、すなわち、（１）ＤＬにおける低減された制御シグナリングオーバヘッド、（２）基地局が、ＵＬのためのプリコーディング行列をＷＴＲＵに伝達しないことができる（例えば、伝達する必要がないことがある）こと、（３）例えば、ＵＬチャネル推定のために基地局によって使用される、ＵＬにおける低減されたサウンディング基準シンボルオーバヘッド、（４）例えば、基地局からのＵＬ  ＣＳＩの低減された待ち時間による、軽減されたチャネルエイジング（例えば、チャネルエイジング問題）のうちのいずれかを含むことができる。
【００７８】
ＵＬ部分的チャネル相反性のための代表的な手順
ある代表的な実施形態においては、（例えば、ＷＴＲＵにおいて部分的チャネル情報が利用可能なシナリオにおいて、ＵＬ相反性を可能にするために）例えば、ＵＬ  ＭＩＭＯのためのプリコーダ設計方式に基づいて、代表的なプリコーダを実施することができる。ある代表的な実施形態においては、そうでなければｅＮＢによって送信されることがある、部分的チャネル情報についてのフィードバックは、排除および／または実質的に削減される。プリコーダ方式は、例えば、ＵＬ送信のための、数々のアンテナまたは（例えば、多数の）アンテナのアレイを用いるビームフォーミングの実施をサポートするための方法としての、マルチプルコードブックプリコーダ構造に基づくことができる。ある代表的な実施形態においては、より高次の構造、例えば、とりわけ、（１）ダブルコードブックプリコーディング構造、および／または（２）トリプルコードブックプリコーディング構造を含む、他のコードブックプリコーディング構造を使用することができる。３つ以上のコードブックを使用する、および／または含むプリコーディングを同様に実施することができることを、当業者は理解する。１つのＷＴＲＵからネットワークアクセスポイント（例えば、ｅノードＢ（ｅＮＢ）または他のアクセスポイント）に送信されるビームフォーミングされた信号は、式１によって以下のように表すことができ、
ｙ＝Ｗ1Ｗ2ｘ    （１）
ここで、Ｗ1は、第１のビームフォーミング行列であり、Ｗ2は、第２のビームフォーミング行列であり、ｘは、ＷＴＲＵからの送信データシンボルベクトルである。制御オーバヘッド（例えば、適切なおよび／または必要とされる制御オーバヘッド）を低減させるために、Ｗ1およびＷ2の導出メカニズムおよび選択プロセスは、２つの部分に、それぞれ、ＷＴＲＵ指令部分およびｅＮＢ指令部分として、
Ｗ1：ＷＴＲＵ駆動
Ｗ2：ｅＮＢ駆動
と分割することができ、ここで、（１）ＷＴＲＵ駆動ビームフォーマＷ1は、（１）時間および／または周波数のいずれかにおける低レートチャネル変動を追跡することができ、（２）ｅＮＢ駆動ビームフォーマＷ2は、短期間補正を可能にすることができる。ｅＮＢ（例えば、ネットワークアクセスポイントまたはネットワークエンティティ）は、Ｗ2の選択において、ＷＴＲＵに指令することができ、Ｗ1は、ＷＴＲＵ自体が決めること、および／または決定することができる（例えば、Ｗ1の決定は、ｅＮＢの制御下にないことができる）。
【００７９】
ある代表的な実施形態においては、ビームフォーマの役割は、交換することができ、Ｗ1は、ｅＮＢによって決められ、および／または決定され、Ｗ2は、ＷＴＲＵによって決められ、および／または決定されることが企図されている。
【００８０】
ランク情報を使用する場合、ＵＬビームフォーミングのためのＷＴＲＵ手順は、以下の動作のうちのいずれかを含むことができる。
（１）ＷＴＲＵは、１つまたは複数のＤＬ測定に基づいて、ＵＬチャネルを推定することができる（例えば、
【００８１】
【数４】
2019528613.tif 000006
【００８２】
）。例えば、ＤＬチャネル情報は、とりわけ、（例えば、チャネル推定のために特に使用される）ＤＬ基準シンボルから、および／またはＤＬデータ／制御送信内に埋め込まれた復調基準シンボルから導出することができる。上記の関数Ｆは、ＵＬチャネル推定を改善するために、関数によってＤＬチャネルを変換することができることを示す。ある代表的な実施形態では、この関数は、線形変換（無変換が適切および／もしくは必要とされる場合は単位行列）、または任意の次数の非線形変換であることができる。
（２）ＷＴＲＵは、チャネル関連測定に基づいて、プリコーディング／ビームフォーミング行列／ベクトルＷ1を決定することができる。例えば、プリコーディング行列Ｗ1は、推定された
【００８３】
【数５】
2019528613.tif 000007
【００８４】
から導出することができ、またはプリコーディング行列Ｗ1は、それの共分散行列Ｒの固有ベクトルのうちのすべてまたはサブセットに基づいて、決定することができる。ＷＴＲＵは、ｅＮＢがプリコーディング／ビームフォーミング行列／ベクトルＷ2を推定することを可能にするために、プリコーディング行列／ベクトルＷ1をｅＮＢに伝達することができる。一例として、１つの手順（例えば、暗黙的な手順）においては、ＷＴＲＵは、プリコードされた基準信号をｅＮＢに送信することができ、ｅＮＢは、プリコードされた基準信号に基づいて、プリコーディング行列／ベクトルＷ2を推定することができる。第２の例として、第２の手順（例えば、明示的な手順）においては、ＷＴＲＵは、プリコーディング行列／ベクトルＷ1の表現をｅＮＢにフィードバックまたは提供することができる。表現は、以下のうちの、すなわち、（i）Ｗ1を表すＰＭＩ値、（ii）プリコーディング行列／ベクトルＷ1のための値の圧縮された明示的なセット、（iii）（例えば、時間および／または周波数にわたって）ＷＴＲＵによってｅＮＢに以前送信されたベクトル間の差を示す差分ＰＭＩ／ベクトルのうちの１つまたは複数であることができる。ｅＮＢは、ＷＴＲＵとｅＮＢとの間で合意されたルールに基づいて、プリコーディング行列／ベクトルＷ1を推測することができる。ルールは、入力として長期チャネル統計を取得し、プリコーディング／ビームフォーミング行列／ベクトルを生成することができる。ＷＴＲＵは、ルールおよび（例えば、チャネル相反性を使用する）ＵＬチャネルの推定に基づいて、プリコーディング／ビームフォーミング行列／ベクトルＷ1を決定することができ、ｅＮＢは、同じルールおよびＵＬチャネルの実際の測定に基づいて、プリコーディング／ビームフォーミング行列／ベクトルＷ1を推測することができる。
（３）ＷＴＲＵは、ＤＬ制御チャネルを監視することができ、関連するペイロードをデコードすることができ、および／またはプリコーディング行列／ベクトルＷ2に関するプリコーディング／ビームフォーミング行列インデックス（ＰＭＩ）を決定することができる。例えば、デコードされたＰＭＩは、ビームフォーミングの正確性を改善するために、チャネル方向についてのさらなる更新を提供することができる。推定された
【００８５】
【数６】
2019528613.tif 000008
【００８６】
は、古くなることがあるので、ｅＮＢ駆動プリコーディング行列／ベクトルＷ2は、現在のチャネルに対するプリコーダ全体の一致を改善するための補正として、使用することができる。ＷＴＲＵは、デコードされたＰＭＩから、明示的または暗黙的に、プリコーディング行列／ベクトルＷ2ビームフォーミング行列を識別することができる。
（４）ＷＴＲＵは、送信データベクトルを、ｙ＝Ｗ1Ｗ2ｘとして、ビームフォーミングすることができる。
【００８７】
ＵＬ角度相反性のための代表的な手順
ある代表的な実施形態においては、あるタイプのビームフォーミング（例えば、ＷＴＲＵがアナログビームフォーミングとデジタルビームフォーミングの組み合わせを使用することができるハイブリッドビームフォーミング）を利用または使用するＷＴＲＵのために、ＤＬ到着角（ＡＯＡ）とＵＬ発射角（ＡＯＤ）との間の相反性を使用することができる。例えば、ＷＴＲＵは、ＤＬにおいて信号のＡＯＡを測定することができ、測定されたＡＯＡを使用して、ＵＬ送信のためのビームフォーミングベクトルを決定することができる。一様線形アレイＵＬＡについてのＵＬおよびＤＬアンテナ応答は、以下の式２のようであることができ
【００８８】
【数７】
2019528613.tif 000009
【００８９】
ここで、ｆ0は、ＵＬＡがそれのために設計されたキャリア周波数であり、Δは、その周波数における（例えば、ｆ0キャリア周波数における）（波長単位の）アンテナ間隔であり、θは、ＡＯＡ／ＡＯＤである。
【００９０】
ＵＬおよびＤＬアンテナ応答は、式３に与えられるように、関連することができ、
ａUL（θ）＝Ｔ（θ）ａDL（θ）    （３）
ここで、変換行列Ｔ（θ）は、以下の式４によって与えられる。
【００９１】
【数８】
2019528613.tif 000010
【００９２】
ｆDL＝ｆULである、ＴＤＤ動作モードの場合、変換行列Ｔ（θ）は、例えば、式５に与えられるように、単位行列に単純化することができる。  
ａUL（θ）＝ａDL（θ）    （５）
【００９３】
ある代表的な実施形態においては、ＷＴＲＵは、本明細書において説明される部分的チャネル相反性のための代表的な手順におけるＷ1として、アレイ応答ベクトルａUL（θ）を使用することができる。例えば、Ｗ2は、基地局によって伝達することができる。ある代表的な実施形態においては、ａUL（θ）は、基地局の方向におけるビームフォーミング利得を最大化するために、アナログ領域において利用することができ、Ｗ2は、（例えば、信号対雑音比（ＳＮＲ）を最大化し、および／または他のＷＴＲＵからの干渉を最小化するために）デジタル領域において利用することができ、ある実施形態によれば、ＡＯＡは、仰角および方位角（ＥＡ）ＡＯＡであることができ、ならびに／またはＡＯＤは、ＥＡ  ＡＯＤであることができる。
【００９４】
ＵＬ  ＭＩＭＯのための非対称干渉（ＡＩ）回避のための代表的な手順
図６は、ＵＬ  ＭＩＭＯのためのＡＩ回避のための代表的な手順を示す図である。
【００９５】
図６を参照すると、ネットワーク６００は、カバレージエリア６１５−１を有する第１のセル６１０−１と、カバレージエリア６１５−２を有する第２のセル６１０−２とを含むことができる。ＡＰ６２０−１（例えば、これ以降ときにはＡＰ／ｅＮＢと呼ばれる、ｅＮＢ、ｇＮＢ、および／または他の無線アクセスネットワーク（ＲＡＮ）エンティティ）は、第１のセル６１０−１にサービスを行うことができ、ＡＰ６２０−２は、第２のセル６１０−２にサービスを行うことができる。第１のＷＴＲＵ１０２−１は、第１のセル６１０−１のカバレージエリア６１５−１内にいることができる。第２のＷＴＲＵ１０２−２は、第２のセル６１０−２のカバレージエリア６１５−２内にいることができる。ＷＴＲＵ１０２−２は、干渉信号（例えば、干渉チャネルｖ）を送信すること、および／または送ることができる。ＡＰ／ｅＮＢ６２０−１は、干渉チャネルｖに基づいて、プリコーディング行列（ＰＭ）情報（例えば、ＰＭインデックス）を決定することができ、および／または信号（例えば、所望ＤＬ信号）をＷＴＲＵ１０２−１に送信することができる。例えば、所望信号は、干渉チャネルｖに基づいて、プリコードすることができる。
【００９６】
ある代表的な実施形態においては、ＡＩ現象は、セル間干渉から生じることができ、問題（例えば、チャネル相反性の使用に対する懸念）を引き起こすことができる。ＡＰ／ｅＮＢ６２０−１が、特定の空間方向において、および／または特定の空間方向内において干渉を経験する場合、ＷＴＲＵ１０２−１は、ＡＰ／ｅＮＢ６２０−１のＤＬ送信に基づいて、その空間方向内における干渉を決定すること、または知ることができないことがある。ＷＴＲＵ１０２−１が、ＵＬ干渉情報を獲得することができる場合、ＷＴＲＵ１０２−１は、同じチャネル方向上および／または方向内における送信を回避するために、ＵＬ干渉に適応することができる。式６に示されるような、ビームフォーミング行列Ｗは、ＵＬ送信の方向を、干渉（例えば、干渉チャネルｖ）から逸らすために使用することができ、
ｙ＝Ｗｘ    （６）
ここで、Ｗは、ビームフォーミング行列であり、ｘは、送信データシンボルベクトルであり、ｙは、ビームフォーミングされた送信ベクトルである。
【００９７】
ある代表的な実施形態においては、ＷＴＲＵ１０２は、（１）ＤＬ測定に基づいたＵＬチャネルの推定（例えば、
【００９８】
【数９】
2019528613.tif 000011
【００９９】
）、（２）ＤＬ制御チャネルを監視すること、（３）関連するペイロードをデコードすること、（４）（ときにはｖとして示される）干渉チャネルｖの方向に関するＰＭＩを決定すること、（５）干渉チャネルｖがプリコーディング／ビームフォーミング行列／ベクトルＷのヌル空間内にあるようにする、もしくはプリコーディング／ビームフォーミング行列／ベクトルＷと干渉チャネルｖが（例えば、Ｗ⊥ｖ）であるようにする、推定されたチャネルおよび干渉チャネルｖに基づいた、プリコーディング／ビームフォーミング行列／ベクトルＷの推定、ならびに／または（６）ｙ＝Ｗｘとして、送信データベクトルをビームフォーミングすることのうちのいずれかを実行することができる。
【０１００】
ある代表的な実施形態においては、ＷＴＲＵ１０２は、プリコーディング／ビームフォーミング行列／ベクトルＷが、平均２乗誤差（ＭＳＥ）と関連付けられたメトリックを最小化するように、（例えば、推定されたチャネルに基づいて）プリコーディング／ビームフォーミング行列／ベクトルＷを推定すること、および干渉チャネルｖを推定することができる。例えば、ＭＳＥ基準は、以下のようであることができる。（ｉ）サービングＡＰ／ｅＮＢ６２０のＭＳＥとチャネルｖにおける干渉との和、例えば、ＭＳＥ＋α  Ｉｎｔｅｒｆｅｒｅｎｃｅであり、ここで、αは、適切に選択されたパラメータである。および／または（ｉｉ）例えば、（ＭＳＥ，Ｉｎｔｅｒｆｅｒｅｎｃｅ）の大きい方を最小化するための、最小化されたＭＳＥとチャネルｖにおける干渉のうちの大きい方。ある代表的な実施形態においては、ＭＳＥ基準は、干渉チャネルｖについての統計的知識とともに（例えば、それだけとともに）使用することができる。
【０１０１】
干渉フィードバックに基づいたＵＬ  ＭＵ−ＭＩＭＯのための代表的な手順
ＵＬ  ＭＵ−ＭＩＭＯ通信についてのＡＰ／ｅＮＢフィードバックに関する最低限の要件を用いて、ユーザ間干渉を低減させるために、代表的な手順を実施することができる。ある通信（例えば、ＬＴＥ、ＬＴＥ−Ａ、ニューラジオ、ならびにＬＴＥ、ＬＴＥ−Ａ、およびニューラジオを越える、またはそれらとは異なる他の通信）においては、多数のＷＴＲＵ１０２（例えば、複数のＷＴＲＵ１０２またはＷＴＲＵ１０２のクラスタ）は、同じ周波数−時間リソース上において送信するために、（例えば、透過的に）ペアにすることができる。ＡＰ／ｅＮＢ６２０は、ＷＴＲＵ１０２、いくつかのＷＴＲＵ１０２、または複数のＷＴＲＵ１０２の各々に、それらのＵＬ送信を直交化するように、ＰＭＩを割り当てることができる。ＰＭＩの制限された精細さのせいで、性能は、低減および／または制限されることがある。
【０１０２】
ＵＬ  ＭＩＭＯの性能を改善するために、ＷＴＲＵ１０２は、チャネル相反性に依存して、ＵＬビームフォーミング／プリコーディングの方向についての推定を導出することができ、それの送信をクラスタ内の他のＷＴＲＵ１０２に対して直交化させようと試みるために、ＡＰ／ｅＮＢ６２０による支援を受けることができる。ＷＴＲＵ１０２は、例えば、（１）シングル空間ストリーム送信およびシングルコードブック、（２）シングルコードブックを用いるマルチ空間ストリーム送信、および／または（３）より高次のコードブック（例えば、ダブルコードブック、トリプルコードブック、もしくはさらなる次数のコードブック）を用いるマルチ空間ストリーム送信を使用することができる。例えば、ある代表的な実施形態においては、各ＷＴＲＵ１０２は、連続する送信が、同じまたは実質的に同じ方向に（例えば、同じチャネルまたは実質的に同じチャネル内に）あるように、シングル空間ストリーム（例えば、ただ１つの空間ストリーム）を送信することができ、プリコーディングコードブックは、シングルコードブックであることができる。他の代表的な実施形態においては、ＷＴＲＵ１０２は、多数の空間ストリームを送信することができ、プリコーディングコードブックは、シングルコードブック、またはより高次のコードブック（例えば、とりわけ、ダブルコードブックもしくはトリプルコードブック）であることができる。
【０１０３】
シングル空間ストリーム送信およびシングルコードブックを使用する代表的な手順
図７は、シングル空間ストリーム送信およびシングルコードブックを使用する代表的な手順を示す図である。図７を参照すると、代表的な手順７００は、２つ以上のＷＴＲＵ１０２（例えば、２つのユーザデバイス、またはＷＴＲＵ１０２−１、１０２−２）と、ＡＰ／ｅＮＢ６２０とを含むことができる。ＷＴＲＵ１０２−１および／またはＷＴＲＵ１０２−２の一方または各々は、干渉方向ｖ1およびｖ2を反映する、および／または示す異なるＰＭＩによって、干渉方向ｖ1およびｖ2についてアドバイスを受けることができる。
【０１０４】
代表的な手順（例えば、全体的な手順）は、以下のうちのいずれかを含むことができる。（１）ＷＴＲＵ１０２−１は、ＤＬ測定に基づいてＵＬチャネルを推定することができる（例えば、
【０１０５】
【数１０】
2019528613.tif 000012
【０１０６】
）。（２）ＷＴＲＵ１０２−１は、ＤＬ制御チャネルを監視することができる。（３）ＷＴＲＵ１０２−１は、関連するペイロードをデコードすることができる。（４）ＷＴＲＵ１０２−１は、干渉方向ｖ（例えば、干渉方向ｖ2）に関するＰＭＩを決定することができる。例えば、干渉方向は、ＭＵ−ＭＩＭＯクラスタ内における他のユーザの送信の方向であることができる。（例えば、ベクトルｖは、１つのＷＴＲＵ１０２−２（例えば、ただ１つの干渉ＷＴＲＵ１０２−２）の干渉の方向、もしくは集約された干渉の方向を表すことができる）（５）ＷＴＲＵ１０２−１は、干渉チャネル／方向ｖがプリコーディング／ビームフォーミング行列／ベクトルＷのヌル空間内にあることができるように、もしくはプリコーディング／ビームフォーミング行列／ベクトルＷと干渉チャネルｖが（例えば、Ｗ⊥ｖ）であることができるように、推定されたチャネルおよび干渉チャネル／方向ｖに基づいて、プリコーディング／ビームフォーミング行列／ベクトルＷを推定することができる。ならびに／または（６）ＷＴＲＵ１０２−１は、ｙ＝Ｗｘとして、送信データベクトルをビームフォーミングすることができる。
【０１０７】
ある代表的な実施形態においては、ＷＴＲＵ１０２は、プリコーディング／ビームフォーミング行列／ベクトルＷが、平均２乗誤差（ＭＳＥ）と関連付けられたメトリックを最小化することができるように、（例えば、推定されたチャネルに基づいて）プリコーディング／ビームフォーミング行列／ベクトルＷを推定すること、および干渉チャネル／方向ｖを推定することができる。例えば、ＭＳＥ基準は、以下のようであることができる。（ｉ）サービングＡＰ／ｅＮＢ６２０のＭＳＥとチャネルｖiにおける干渉との和、例えば、ＭＳＥ＋Σαi  Ｉｎｔｅｒｆｅｒｅｎｃｅiであり、ここで、αiは、適切に選択されたパラメータである、および／または（ｉｉ）例えば、（ＭＳＥ，Ｉｎｔｅｒｆｅｒｅｎｃｅ）の大きい方を最小化するための、最小化されたＭＳＥとチャネルｖiにおける干渉のうちの大きい方。ある代表的な実施形態においては、ＭＳＥ基準は、干渉チャネル／方向ｖについての統計的知識とともに（例えば、それだけとともに）使用することができる。
【０１０８】
シングルコードブックを用いるマルチ空間ストリーム送信を使用する代表的な手順
図８は、マルチ空間ストリーム送信およびシングルコードブックを使用する代表的な手順を示す図である。図８を参照すると、代表的な手順８００は、任意の数のＡＰ／ｅＮＢ６２０（例えば、ｇＮＢ、ｅＮＢ、および／またはＲＡＮエンティティ）と、任意の数のＷＴＲＵ１０２（例えば、とりわけ、ＷＴＲＵ１０２−１、１０２−２、１０２−３．．．１０２−Ｋ）とを使用することができる。ＵＬ  ＭＵ−ＭＩＭＯは、干渉フィードバックに基づいた、マルチ空間ストリーム送信を有することができる。ＡＰ／ｅＮＢ６２０は、例えば、相互干渉を低減させることができるように、ＵＬ  ＭＵ−ＭＩＭＯ送信のためのＷＴＲＵ１０２におけるプリコーディング／ビームフォーミング行列選択を調整することができる。ある代表的な実施形態においては、Ｋ個のＷＴＲＵ１０２−１、１０２−２、１０２−３．．．１０２−Ｋ（Ｋは正の整数）が、単一のＡＰ／ｅＮＢ６２０に同時に送信する場合、Ｋ個のＷＴＲＵ１０２−１、１０２−２、１０２−３．．．１０２−Ｋのうちの第１のＷＴＲＵ１０２−１が、他のＫ−１個のＷＴＲＵ１０２−２、１０２−３．．．１０２−Ｋからの干渉を最小化する自らのプリコーディング／ビームフォーミング行列を自律的に決定することができるように、手順を実施することができる。第１のＷＴＲＵ１０２−１の観点からは、他のＷＴＲＵ（例えば、ＷＴＲＵ１０２−２、１０２−３．．．ＷＴＲＵ１０２−Ｋ）は、表記を簡略化するために、単一の等価のＷＴＲＵ１０２−２’と見なすことができる。
【０１０９】
ＡＰ／ｅＮＢ６２０における受信信号は、以下の式７において与えられるようなものであることができる。
【０１１０】
【数１１】
2019528613.tif 000013
【０１１１】
チャネル行列の特異値分解（ＳＶＤ）は、
【０１１２】
【数１２】
2019528613.tif 000014
【０１１３】
、ｉ＝１，２とすることができる。例えば、プリコーディング／ビームフォーミング行列／ベクトルＷ2が、与えられた（例えば、知られている、および／または決定された）とき、ＷＴＲＵ１０２−１は、ＡＰ／ｅＮＢ６２０からの支援を用いて、それのプリコーディング行列を決定することができる。
【０１１４】
第１の代表的な手順として、ＡＰ／ｅＮＢ６２０が、Ｈ2Ｗ2の量子化されたバージョンまたは量子化されないバージョンをＷＴＲＵ１０２−１に送信する場合、ＷＴＲＵ１０２−１は、列空間Ｈ1Ｗ1がＨ2Ｗ2の列空間と直交するように、それのプリコーディング／ビームフォーミング行列Ｗ1を選択および／または決定することができ、ＡＰ／ｅＮＢ６２０は、受信信号ベクトルを２つの直交列空間に別々に射影することによって、２つの信号を分離することができる（例えば、容易に分離することができる）。そのように選択されたプリコーディング／ビームフォーミング行列Ｗ1と、ＳＶＤにおけるＶ1は、従来のＬＴＥ／ＬＴＥ−Ａシステムにおいては、それらは同一であるが、同一ではないことがあることが企図されている。ＷＴＲＵ１０２−１は、ＡＰ／ｅＮＢ６２０からの明示的（および／もしくは暗黙的）なフィードバックを通して、またはチャネル相反性を使用することによって、チャネル行列Ｈ1を知ることができ、または決定することができる。
【０１１５】
第２の代表的な手順として、ＡＰ／ｅＮＢ６２０は、最大のノルムを有する列空間Ｈ2Ｗ2の列ｉを選択および／または決定することができ、ｉをＷＴＲＵ１０２−１に送信することができる。ＷＴＲＵ１０２−１は、ｉによって表される方向を使用することを回避しようと試みることができ、および／または企てることができる。例えば、ＷＴＲＵ１０２−１は、例えば、（１）行列の代わりにベクトルをＷＴＲＵ１０２−１に伝えることができることで、
シグナリングオーバヘッドを著しく低減させるために、および（２）相互干渉の部分（例えば、著しい部分）を回避するために、Ｈ1Ｗ1の列空間がｉを含まないように、プリコーディング／ビームフォーミング行列Ｗ1を選択および／または決定することができる。
【０１１６】
第３の代表的な手順として、ＡＰ／ｅＮＢ６２０は、最小のノルムを有する列空間Ｈ2Ｗ2の列ｉを選択および／または決定することができ、ｉをＷＴＲＵ１０２−１に送信することができる。ＷＴＲＵ１０２−１は、ｉによって表される方向の使用しようと試みることができ、および／または企てることができる。例えば、ＷＴＲＵ１０２−１は、Ｈ1Ｗ1の列空間がｉを含むことができるように、プリコーディング／ビームフォーミング行列Ｗ1を選択および／または決定することができる。
【０１１７】
ダブルコードブックを用いるマルチ空間ストリーム送信を使用する代表的な手順
プリコーディング／ビームフォーミング行列は、例えば、２つの部分から成ること、または２つの部分を含むことができる。第１の部分は、チャネルの長期および／または広帯域挙動を獲得することができ（例えば、示すこと、および／または追跡することができ）、第２の部分は、チャネルの短期および／または狭帯域挙動を獲得することができる（例えば、示すこと、および／または追跡することができる）。ＡＰ／ｅＮＢ６２０において受信される信号は、以下の式８によって与えることができ、
【０１１８】
【数１３】
2019528613.tif 000015
【０１１９】
ここで、ＬＴは、長期を表し、ＳＴは、短期を表す。プリコーディング／ビームフォーミング行列は、２つの部分を含むことができるが、任意の数の部分が、可能である。干渉管理／低減のためのデュアルコードブックと関連付けられたこの問題は、新しいチャネル
【０１２０】
【数１４】
2019528613.tif 000016
【０１２１】
が定義される場合、シングルコードブック問題に単純化することができる。例えば、新しいチャネルは、Ｇiとすることができ、新しいプリコーディング行列は、
【０１２２】
【数１５】
2019528613.tif 000017
【０１２３】
とすることができる。この問題を解くために、シングルコードブックケースのための解法を使用することができる。ネットワーク動作は、以下のうちのいずれかを含むことができる。（１）ＡＰ／ｅＮＢ６２０は、
【０１２４】
【数１６】
2019528613.tif 000018
【０１２５】
をＷＴＲＵ１０２−１に送信し、ＷＴＲＵ１０２−１は、ＳＴプリコーディング／ビームフォーミング行列
【０１２６】
【数１７】
2019528613.tif 000019
【０１２７】
（例えば、最良もしくは最適な
【０１２８】
【数１８】
2019528613.tif 000020
【０１２９】
）を決定する（例えば、ＳＴプリコーディング／ビームフォーミング行列
【０１３０】
【数１９】
2019528613.tif 000021
【０１３１】
は、ＡＰ／ｅＮＢ６２０からのフィードバックを通して、および／もしくはチャネル相反性に基づいた局所的な測定によって、獲得することができる）。（２）ＡＰ／ｅＮＢ６２０は、
【０１３２】
【数２０】
2019528613.tif 000022
【０１３３】
をＷＴＲＵ１０２−１に送信することができ、ＷＴＲＵ１０２−１は、ＬＴプリコーディング／ビームフォーミング行列
【０１３４】
【数２１】
2019528613.tif 000023
【０１３５】
（例えば、最良もしくは最適な
【０１３６】
【数２２】
2019528613.tif 000024
【０１３７】
）を決定することができる。ＳＴプリコーディング／ビームフォーミング行列
【０１３８】
【数２３】
2019528613.tif 000025
【０１３９】
は、ＡＰ／ｅＮＢ６２０からのフィードバックを通して獲得することができる。ならびに／または（３）ＡＰ／ｅＮＢ６２０は、特定のノルム（例えば、最大のノルム）を有する
【０１４０】
【数２４】
2019528613.tif 000026
【０１４１】
の列をＷＴＲＵ１０２−１に送信することができ、ＷＴＲＵ１０２−１は、ＳＴプリコーディング／ビームフォーミング行列
【０１４２】
【数２５】
2019528613.tif 000027
【０１４３】
（例えば、最良もしくは最適な
【０１４４】
【数２６】
2019528613.tif 000028
【０１４５】
）を決定することができる。ＬＴプリコーディング／ビームフォーミング行列
【０１４６】
【数２７】
2019528613.tif 000029
【０１４７】
は、ＡＰ／ｅＮＢ６２０からのフィードバックを通して、および／もしくはチャネル相反性に基づいた局所的な測定によって、獲得することができる
【０１４８】
代表的なＷＴＲＵ支援およびｅＮＢ中心手順
図９は、代表的なＷＴＲＵ支援干渉調整手順を示す図である。
【０１４９】
図９を参照すると、マルチユーザ環境において、ＷＴＲＵ（例えば、ＷＴＲＵ１０２−１および／またはＷＴＲＵ１０２−２）は、ＷＴＲＵ内干渉を管理するために、干渉関連情報を提供することができる。ある代表的な手順は、以下のうちのいずれかを含むことができる。
（１）ＷＴＲＵ１０２（例えば、１つもしくは複数のＷＴＲＵ、または各ＷＴＲＵ）は、チャネルの相反性を使用して（例えば依存して）、ＵＬチャネルを推定することができる。例えば、ＷＴＲＵ１０２−１は、例えばＤＬ基準信号（ＲＳ）から利用可能であることができる、ＤＬチャネル測定を実行することができる。ＴＤＤにおいては、推定されたＤＬチャネルの転置が、ＵＬチャネルの推定であることができることが企図されている。ＦＤＤについては、ＵＬとＤＬとの間またはＵＬとＤＬとの周波数差に応じて、推定されたＤＬチャネルが、追加の補正を伴って、または伴わずに、ＵＬチャネルの推定であることができる（例えば、ある代表的な実施形態においては、１つまたは複数の追加の補正係数が、適切であること、および／または必要とされることがある）。
（２）推定されたＵＬチャネルが与えられた場合、ＷＴＲＵ１０２−１は、プリコーダのセット（例えば、１つまたは複数のプリコーダ）を選択することができ、プリコーダのセットをＡＰ／ｅＮＢ６２０に伝える（例えば、提供する、または示す）ことができる。ある代表的な実施形態においては、プリコーダのセットは、事前決定されたプリコーダから選択することができ、ＷＴＲＵ１０２は、１つまたは複数のインデックス（例えば、１つまたは複数のコードブック値）を、１つまたは複数の選択された事前決定されたプリコーダに提供することができる。選択メカニズムおよび／または手順は、とりわけ、信号対雑音比（ＳＮＲ）、信号対干渉比（ＳＮＩ）、他の雑音測定値、および／または容量測定値など、１つまたは複数の性能尺度に基づくことができる。選択および／または報告されたプリコーダのセットは、１つまたは複数の意図された基準を達成するための最良のプリコーダおよび／または最悪のプリコーダであることができ、またはそれらを含むことができる。
（３）ＡＰ／ｅＮＢ６２０は、プリコーダの報告されたセット（および／または報告されたプリコーダと関連付けられた表示もしくはコードブック値）を、１つまたは複数のＷＴＲＵ１０２（例えばＡＰ／ｅＮＢ６２０が通信するＷＴＲＵ１０２−１およびＷＴＲＵ１０２−２のすべて）から受信すること、記憶すること、および／または収集することができ、ＷＴＲＵ１０２の干渉およびスケジューリング要件を分析することができる。ＡＰ／ｅＮＢ６２０は、ＡＰ／ｅＮＢ６２０が、（例えば利用可能である場合）ＵＬ  ＳＲＳ信号から観測した、ＵＬチャネルについての情報を含めることができる。
（４）ＡＰ／ｅＮＢ６２０は、プリコーダの報告されたセットに基づいて、ＷＴＲＵ１０２（例えば、ＷＴＲＵ１０２−１およびＷＴＲＵ１０２−２の各々）のためのプリコーダを選択することができる。１つまたは複数の基準（例えば、基本的な基準）は、多数のＷＴＲＵ１０２からのＵＬ送信についての相互干渉を低減させること、および／または最小化することであることができる。プリコーダの報告されたセットが、（例えば、１つまたは複数のルールおよび／または基準に基づいて）プリコーダの最良のセットであるという条件において、ＷＴＲＵ１０２−１からの推奨されるプリコーダセットは、｛Ｗ1i｝と呼ばれることがあり、ＷＴＲＵ１０２−２からの推奨されるプリコーダセットは、｛Ｗ2j｝と呼ばれることがある。ＡＰ／ｅＮＢ６２０は、｜｜（Ｈ1Ｗ1i）†（Ｈ2Ｗ2j）｜｜を最小化すること、実質的に最小化すること、および／または低減させることができるように、ｉおよびｊを選択することができ、ここで、｜｜  ｜｜は、フロベニウスノルムを表すことができる。
【０１５０】
プリコードされたサウンディング基準信号に基づいたＵＬ  ＭＵ−ＭＩＭＯのための代表的な手順
ある代表的な実施形態においては、ＷＴＲＵ１０２は、ＷＴＲＵ１０２によって計算（例えば、決定）および／または獲得されたプリコーディング行列を用いてプリコードすることができる、サウンディング基準信号（ＳＲＳ）を使用することができる。プリコーディング／ビームフォーミング行列は、とりわけ、デジタルビームフォーミングのために使用されるプリコーディング行列、および／またはアナログビームフォーミングのために使用されるプリコーディング行列を含む、部分行列の乗算から成ることができる（例えば、それを含むことができる）。
【０１５１】
ＷＴＲＵ１０２は、ＤＬ内において送信される信号を使用して、ＵＬ送信のためのプリコーディング／ビームフォーミング行列を計算および／または決定することができる。例えば、ＷＴＲＵ１０２によって計算される、プリコーディング／ビームフォーミング行列が、Ｗである場合、プリコードされたＳＲＳは、ｙ＝Ｗｔとして与えることができ、ｔは、ＳＲＳであることができる。ＡＰ／ｅＮＢ６２０は、自らのセル内のＷＴＲＵ１０２、および近隣セル内のＷＴＲＵ１０２を含む、多数のＷＴＲＵ１０２から、プリコードされたＳＲＳを受信することができ、プリコードされたＳＲＳに基づいて、スケジューリング決定を行うことができる。ＳＲＳをプリコードするために使用される行列は、ＤＬ信号（例えば、ＤＬ基準信号）に基づいて、ＷＴＲＵ１０２によって決定すること（例えば、完全に決定すること）ができ、ならびに／またはＷＴＲＵ１０２は、部分的にＷＴＲＵ１０２によって、および部分的にＡＰ／ｅＮＢ６２０によって決定することができる。例として、Ｗ＝Ｗ1Ｗ2、またはＷ＝Ｗ1であり、プリコーディング行列は、本明細書において開示される定義に従う。ある代表的な実施形態においては、ＷＴＲＵ１０２は、とりわけ、（１）ＤＬ信号を使用することによって、ＳＲＳのための第１のプリコーディング行列を決定することができ、（２）決定された行列を用いてＳＲＳをプリコードすることができ、（３）プリコードされたＳＲＳを送信することができ、および／または（４）ＡＰ／ｅＮＢ６２０によって決定された第２のプリコーディング行列を受信することができる。第２のプリコーディング行列は、ＤＬ制御チャネル内において、ＡＰ／ｅＮＢ６２０によって、またはこの第２のプリコーディング行列を用いてプリコードされたパイロットを使用することによって、送信することができる。ＷＴＲＵ１０２は、データ送信において使用される合成プリコーディング行列を、合成行列が、第１および第２のプリコーディング／ビームフォーミング行列の関数であることができるように、形成することができる。例えば、ＷＴＲＵ１０２によって決定される第１のプリコーディング行列は、アナログビームフォーミングに基づくことができ、ワイドビームを生成することができ、ＷＴＲＵ１０２によって決定される第２のプリコーディング行列は、デジタルビームフォーミングに基づくことができ、ユーザ間干渉を打ち消すことができる。
【０１５２】
ＵＬビームフォーミング動作のための代表的なＷＴＲＵ手順は、以下の内のいずれかから成ることができ、または以下のうちのいずれかを含むことができる。（１）ＷＴＲＵ１０２は、ＤＬ測定に基づいて、ＵＬチャネルを推定することができる（例えば、
【０１５３】
【数２８】
2019528613.tif 000030
【０１５４】
）。（２）ＷＴＲＵ１０２は、チャネル関連測定に基づいて、プリコーディング／ビームフォーミング行列／ベクトルＷ1を推定することができる。（３）ＷＴＲＵ１０２は、プリコーディング／ビームフォーミング行列／ベクトルＷ1を用いてプリコードすることができるＳＲＳを送信することができる。（４）ＷＴＲＵ１０２は、ＤＬ制御チャネルを監視することができる。（５）ＷＴＲＵ１０２は、関連するペイロードをデコードすることができる。（６）ＷＴＲＵ１０２は、プリコーディング／ビームフォーミング行列Ｗ2に関するプリコーディング行列インデックス（ＰＭＩ）を決定することができる（例えば、（ｉ）デコードされたＰＭＩは、ビームフォーミングの正確性を改善するために、チャネル方向についてのさらなる更新を提供することができ、例えば、プリコーディング／ビームフォーミング行列Ｗ2は、マルチユーザ干渉を打ち消すために、使用すること、および／もしくは必要であることができ、および／もしくは（ｉｉ）ＷＴＲＵ１０２は、プリコーディング行列／ベクトルＷ2（例えば、ビームフォーミング行列）を、デコードされたＰＭＩから明示的もしくは暗黙的に識別することができる）。ならびに／または（７）ＷＴＲＵ１０２は、送信データベクトルを、ｙ＝Ｗｘとして、ビームフォーミングすることができ、ここで、Ｗは、とりわけ、プリコーディング行列／ベクトルＷ1およびＷ2の関数であることができる。
【０１５５】
ある代表的な実施形態においては、プリコーディング／ビームフォーミング行列／ベクトルＷ2は、データ送信のために使用することができ（例えば、ｙ＝Ｗ2ｘ）、それは、例えば、プリコーディング／ビームフォーミング行列／ベクトルＷ1が、ワイドビームを生成し、プリコーディング／ビームフォーミング行列／ベクトルＷ2が、プリコーディング／ビームフォーミング行列／ベクトルＷ1から決定されることができ、ナロービームを生成することができるケースであることができる。
【０１５６】
ＵＬビームフォームド相反性のための代表的な手順
ＤＬデータ受信のために使用されるビームフォーミング行列に基づいて、ＵＬデータ送信のためのビームフォーミング行列を決定するために、チャネル相反性を使用することができる。例えば、（１）ＵＬ方向に送信されるデータは、ＤＬ送信を受信するために受信機において使用することができるビームフォーミング行列を用いて、もしくは使用して、プリコードすることができる。（２）ＵＬ方向に送信されるデータは、ＤＬ送信を受信するために受信機において使用されるビームフォーミング行列と同じ方向にビームを生成することができるビームフォーミング行列を用いて、プリコードすることができる。（３）ＵＬ  ＳＲＳは、ＤＬ送信を受信するために受信機において使用されるのと同じビームフォーミング行列を用いて、プリコードすることができる。（４）本明細書において開示される方法および／もしくは動作は、ＵＬデータ送信のために使用されるプリコーディングビームフォーミング行列を決定するために使用することができる。ならびに／または（５）（例えば、受信ビームフォーミングを使用して）受信するために、および／もしくは（例えば、送信ビームフォーミングを使用して）送信するために、ＷＴＲＵにおいて生成されるビームの幅は、送信ハードウェアと受信ハードウェアの相違のせいで異なることがある。例えば、送信ビームは、受信ビームよりも広いことがある。このケースにおいては、ＵＬデータおよび／またはＳＲＳ送信のために使用されるビームは、データ受信のために使用されるＤＬビームに基づいて、導出することができる。例えば、ＵＬビームは、ＤＬビームと同じ方向にあり、ＤＬビームよりも広いビーム幅を有する、ビームであることができる。
【０１５７】
代表的な手順／機能／方法／動作を、アップリンク通信またはダウンリンク通信のために、アップリンクエンティティ（例えば、ＡＰ／ｅＮＢ６２０）およびダウンリンクエンティティ（例えば、ＷＴＲＵ１０２）の役割／挙動／動作を逆転させて、実施することができるように、アップリンクおよびダウンリンクの両方についてチャネル相反性が存在することを、当業者は理解する。
【０１５８】
本明細書における代表的な手順／機能／方法／動作は、異なるＷＴＲＵ１０２間、または異なるＡＰ／ｅＮＢ６２０間において、代表的な手順／機能／方法／動作が機能するように、アドホックネットワーク内において、および／または直接的なピアツーピアネットワーク内において使用することができることが企図されている。
【０１５９】
ビームフォームド送信ダイバーシティのための代表的な手順
図１０Ａは、シングルビームのためのビームフォームド送信ダイバーシティ手順および動作を示す図である。図１０Ｂは、ＷＴＲＵおよび／またはＡＰ／ｅＮＢの多数のビームのためのビームフォームド送信ダイバーシティ手順および動作を示す図である。図１０Ａを参照すると、ＷＴＲＵ１０２−１および／またはＡＰ／ｅＮＢ６２０−１は、ＵＬおよび／またはＤＬビームを使用して、無線で通信することができる。図１０Ｂを参照すると、１つもしくは複数のＷＴＲＵ１０２−１（および／もしくは図示されていないＷＴＲＵ１０２−２）、ならびに／または１つもしくは複数のＡＰ／ｅＮＢ６２０−１、６２０−２は、ビーム（例えば、ＵＬおよび／またはＤＬビーム）を使用して、無線で通信することができる。ＵＬビームフォーミングと併せて、ランク１送信ダイバーシティ送信のために、ＷＴＲＵ１０２−１の（例えば、ＷＴＲＵ送信機の）アンテナ（例えば、多数のアンテナ）を使用することができる（例えば、利用すること、含むこと、および／または構成することなどができる）。ある代表的な実施形態においては、ＵＬ送信ダイバーシティの性能は、送信ダイバーシティ送信のためのビーム多様体（例えば、適切に方向付けられたビーム多様体）を生成することによって、改善することができる。例えば、別のビーム（例えば、入力ビーム、第１のビーム、および／または元のビームなど）と関連付けられた任意の数のビームを、その別のビームをコピーすること（例えば、複製すること、および／または増殖させることなど）によって生成するために、ビーム多様体を使用することができる。任意の数の送信ダイバーシティモードが可能なことがあることが企図されている。送信ダイバーシティモードは、いずれかのチャネル次元および／または方向情報の欠如を含むことができる（例えば、ＷＴＲＵ１０２−１は、送信ダイバーシティ手順を実行するためのいかなるチャネル次元および／または方向情報も有さないことがある）。そのようなケースにおいては、ベースビーム多様体は、チャネル相反性に基づいて、導出することができる。１つのＷＴＲＵ１０２−１からＡＰ／ｅＮＢ６２０−１（例えば、送信／受信ポイント（ＴＲＰ）、ｅＮＢ、ｇＮＢ、またはＡＰ）に送信されるビームフォーミングされた信号は、以下の式９によって表すことができ、
ｙ＝ＨＷ1Ｗ2ｘ    （９）
プリコーディング／ビームフォーミング行列／ベクトルＷ1およびＷ2は、有向ビーム多様体および送信ダイバーシティプリコーダに基づく（例えば、それぞれ基づく）ことができる。
【０１６０】
ある代表的な実施形態においては、プリコーディング／ビームフォーミング行列／ベクトル（例えば、プリコーダ）Ｗ1は、チャネル相反性に基づくこと（例えば、それに基づいて導出すること）ができる。例えば、ＴＤＤシステムにおいては、プリコーダは、（例えば、相関行列を使用する、またはそれに基づいた）チャネル推定（例えば、とりわけ、直接的チャネル推定および／または統計的チャネル推定）に基づくことができる。ＦＤＤシステムにおいては、プリコーダは、統計的チャネル推定（例えば、統計的チャネル推定だけ）に基づくことができる。ある代表的な実施形態においては、プリコーダＷ1についての代表的な解法は、推定されたＵＬチャネルの任意の数の固有方向に基づくことができる。ある代表的な実施形態においては、プリコーダは、１つまたは多数の送信および受信ポイント（ＴＲＰ）のＤＬチャネル推定に基づくことができる。本明細書においては、ＡＰ／ｅＮＢは、ＴＲＰおよび／またはＡＰと交換可能に使用することができる。例えば、ＷＴＲＵ１０２−１は、単一のＴＲＰ６２０−１および／または多数のＴＲＰ６２０−１、６２０−２を指し示す、および／またはそれらに方向付けられた、単一のＵＬビームまたは多数のＵＬビームを生成することができる。そのようなケースにおいては、ＷＴＲＵ１０２−１は、任意の数のＵＬビームを、同時に、日和見的に、および／または１つもしくは複数の事前の調整に基づいて、生成することができる。
【０１６１】
ある代表的な実施形態においては、ＷＴＲＵ１０２−１は、別のＷＴＲＵ１０２−２および／または多数のＷＴＲＵ１０２−２、１０２−３を指し示す、および／またはそれらに方向付けられた、単一のＵＬビームまたは多数のＵＬビームを生成することができる。そのようなケースにおいては、ＷＴＲＵ１０２−１は、任意の数のＵＬビームを、同時に、日和見的に、および／または１つもしくは複数の事前の調整に基づいて、生成することができる。
【０１６２】
ある代表的な実施形態においては、ＴＲＰ６２０−１は、ＷＴＲＵ１０２−１および／または多数のＷＴＲＵ１０２−２、１０２−３を指し示す、および／またはそれらに方向付けられた、単一のＵＬビームまたは多数のＵＬビームを生成することができる。そのようなケースにおいては、ＴＲＰ６２０−１は、任意の数のＵＬビームを、同時に、日和見的に、および／または１つもしくは複数の事前の調整に基づいて、生成することができる。
【０１６３】
ある代表的な実施形態においては、ＴＲＰ６２０−１は、別のＴＲＰ６２０および／または多数のＴＲＰ６２０を指し示す、および／またはそれらに方向付けられた、単一のＵＬビームまたは多数のＵＬビームを生成することができる。そのようなケースにおいては、ＴＲＰ６２０−１は、任意の数のＵＬビームを、同時に、日和見的に、および／または１つもしくは複数の事前の調整に基づいて、生成することができる。
【０１６４】
送信ダイバーシティは、（例えば、アドホックネットワークにおいて）ビームを共用するＴＲＰ６２０およびＷＴＲＵ１０２の混合によって提供することができることを、当業者は理解する。
【０１６５】
ある代表的な実施形態においては、ＷＴＲＵ１０２は、プリコーダＷp（例えば、追加のプリコーダＷp）を使用することができる。プリコーダＷpは、障害（例えば、チャネル推定エラーおよび／または干渉など）を軽減するために、使用することができる。例えば、ＷＴＲＵ１０２は、例えば、損なわれたチャネル（例えば、損なわれたチャネル追跡）の影響を小さくするために、制御されたビーム摂動メカニズムとして、追加のプリコーダＷpを使用することができる。１つのＷＴＲＵ１０２からネットワークＡＰ／ｅＮＢ／ＴＲＰ６２０に送信されるビームフォーミングされた信号は、以下の式１０によって表すことができる。  
ｙ＝ＨＷpＷ1Ｗ2ｘ    （１０）
【０１６６】
ある代表的な実施形態においては、プリコーダＷpについての解法は、以下の式１１によって表すことができ、
Ｗp＝ＵεＶ*    （１１）
ここで、Ｕ、Ｖは、
【０１６７】
【数２９】
2019528613.tif 000031
【０１６８】
の統計的推定および／または直接的推定のＳＶＤ分解からもたらされたユニタリ行列であり、εは、摂動要素を包含する、および／または含む対角行列である。摂動要素は、εi＜＜ｄiであるように、選択することができ、ここで、ｄiは、例えば、
【０１６９】
【数３０】
2019528613.tif 000032
【０１７０】
の統計的推定および／または直接的推定のＳＶＤ分解と関連付けられた（例えば、それからもたらされた）固有値とすることができる。
【０１７１】
ある代表的な実施形態においては、プリコーダＷ2は、送信ダイバーシティ方式に基づいて、選択することができる（例えば、プリコーダＷ2についての選択を提供することができる）。例えば、プリコーダＷ2は、とりわけ、空間−周波数ブロック符号（ＳＦＢＣ）および／または巡回遅延ダイバーシティ（ＣＤＤ）などの、送信ダイバーシティ方式（例えば、１つまたは複数のランク１送信ダイバーシティ方式）に基づいて、選択することができる。ある代表的な実施形態においては、送信ダイバーシティ送信の次元（例えば、実際の次元、例えば、時間、周波数、および／または空間）は、送信機アンテナの数（例えば、総数）よりも小さいことがある。
【０１７２】
ＷＴＲＵにおいて非対称干渉を用いるＤＬチャネル測定のための代表的な手順
図１１は、干渉源を示す図である。図１１を参照すると、ネットワーク６００は、カバレージエリア６１５−１を有する第１のセル６１０−１と、カバレージエリア６１５−２を有する第２のセル６１０−２とを含むことができる。ＡＰ／ｅＮＢ６２０−１（例えば、
ｅＮＢ、ｇＮＢ、および／または他のＲＡＮエンティティ）は、第１のセル６１０−１にサービスを行うことができ、ＡＰ／ｅＮＢ６２０−２は、第２のセル６１０−２にサービスを行うことができる。第１のＷＴＲＵ１０２−１は、第１のセル６１０−１のカバレージエリア６１５−１内にいることができる。第２のＷＴＲＵ１０２−２は、第２のセル６１０−２のカバレージエリア６１５−２内にいることができる。ＷＴＲＵ１０２−２は、干渉信号（例えば、干渉チャネルｖ）を送信し、および／または送ることができる。チャネル相反性の有効性は、チャネル時間／周波数コヒーレンシ、ならびに送信機および／または受信機における干渉に依存することができる。非同期システム（例えば、ＴＤＤシステム）の場合、受信機（例えば、ＷＴＲＵ１０２−１）における干渉源は、近隣基地局（例えば、ＡＰ／ｅＮＢ６２０−２）、および／またはセル間ＷＴＲＵ（例えば、１０２−２）からであることができる。これは、式１２が以下の通りであるような、ＤＬをもたらすことができ、
【０１７３】
【数３１】
2019528613.tif 000033
【０１７４】
ここで、
【０１７５】
【数３２】
2019528613.tif 000034
【０１７６】
は、測定されたチャネルであり、
【０１７７】
【数３３】
2019528613.tif 000035
【０１７８】
は、干渉なしのＤＬチャネルであり、
【０１７９】
【数３４】
2019528613.tif 000036
【０１８０】
は、セル間干渉である。測定されたＤＬチャネルの変換（例えば、単純な変換）は、貧弱な（例えば、きわめて貧弱な）ＵＬ性能をもたらすことがある。セル間干渉の効果を低減させるための動作、手順、および／または方法は、（１）測定領域を直交化させる（例えば、干渉の効果を制限する）ための調整を含むことができる。例えば、特定の基地局（例えば、ＡＰ／ｅＮＢ６２０−１）に対する効果を有するとして識別された隣接基地局（例えば、ＡＰ／ｅＮＢ６２０−２）は、特定のセル６１０−１内の多数のＷＴＲＵ１０２−１についてのＤＬチャネルの測定、および／または（２）干渉の測定を可能にするための干渉測定リソースの生成を可能にするために、調整された方式で、サイレンス化することができる。例えば、
【０１８１】
【数３５】
2019528613.tif 000037
【０１８２】
の即時または２次統計量を測定することができる。
【０１８３】
以下の方法のうちの一方で、干渉測定を使用することができる。（１）行列干渉測定（ＭＩＭ）の場合、ＵＬチャネルを推定するために使用される有効なＤＬチャネルは、セル間干渉
【０１８４】
【数３６】
2019528613.tif 000038
【０１８５】
に直交する部分空間、もしくは
【０１８６】
【数３７】
2019528613.tif 000039
【０１８７】
の固有ベクトルによって張られる部分空間において、
【０１８８】
【数３８】
2019528613.tif 000040
【０１８９】
から導出することができ、および／または（２）スカラ干渉測定（ＳＩＭ）の場合、干渉エネルギーは、スカラとして獲得することができる。例は、
【０１９０】
【数３９】
2019528613.tif 000041
【０１９１】
を含むことができる。
【０１９２】
例えば、測定された干渉がある閾値を下回る場合（例えば、その場合だけ）、有効なＤＬチャネルを使用することができる。使用されるＵＬチャネルは、多数のＤＬ測定から導出することができることが企図されている。
【０１９３】
コードブックを使用する（例えば、コードブックを用いる）ＵＬ部分的チャネル相反性のための代表的な手順
送信レイヤ（例えば、各送信レイヤおよび／または各送信ストリーム）のためのプリコーディングベクトルのセットを、コードブックとして、使用すること、構成すること、事前定義すること、および／または事前決定することができる。コードブック内のプリコーディングベクトル（例えば、各プリコーディングベクトル）は、インデックスと関連付けることができる。プリコーディングベクトル、プリコーディング行列、プリコーディング重み、プリコーダ、コードワード、ビームフォーミングベクトル、およびビームインデックスは、交換可能に使用することができるが、依然として、本開示と整合性があることができる。例えば、ＷＴＲＵ送信機における送信信号ｙは、ｙ＝Ｗcｘと表すことができ、ここで、Ｗcは、プリコーディングベクトルとすることができ、ｘは、データシンボルベクトルとすることができる。コードブックは、
【０１９４】
【数４０】
2019528613.tif 000042
【０１９５】
と定義することができ、ここで、Ｎは、コードブック内のプリコーディングベクトルの数とすることができる。
【０１９６】
ある代表的な実施形態においては、プリコーディングベクトルＷcは、ＷＴＲＵ１０２によって、コードブックから、コードブック内において、決定すること、および／または選択することができる。例えば、ＷＴＲＵ１０２は、１つまたは複数のＤＬ信号から推定すること、観測すること、導出すること、および／または測定することができるＤＬチャネルに基づいて、コードブックの（例えば、コードブック内の）インデックスと関連付けられたプリコーディングベクトルを決定することができる。ＤＬ信号は、とりわけ、（１）測定基準信号（ＲＳ）、（２）復調ＲＳ（ＤＲＳ）、および／または（３）ＡＰ／ｅＮＢ６２０から送信されたチャネル状態情報（ＣＳＩ）のうちのいずれかを含むことができる。本明細書においては、ＡＰ／ｅＮＢは、ｅＮＢ、ｇＮＢ、ＴＲＰ、および／またはＡＰと交換可能に使用することができる。
【０１９７】
ＷＴＲＵ１０２は、とりわけ、（１）スループット性能、（２）ＳＮＲ、および／または（３）信号強度のいずれかを含むことができる、１つまたは複数の性能メトリックに基づいて、コードブックと関連付けられた、および／またはコードブック内のプリコーディングベクトルＷcを決定すること、および／または選択することができる。
【０１９８】
ＷＴＲＵ１０２は、ＤＬ信号受信のための決定および／または使用された受信機ビームに基づいて、コードブックと関連付けられた、および／またはコードブック内のプリコーディングベクトルＷcを決定すること、および／または選択することができる。例えば、ＷＴＲＵ１０２は、受信機ビームのセット内の決定された受信機ビーム（および／または受信機ビームインデックス）を用いて、ＤＬ信号を受信することができ、プリコーディングベクトルＷcは、決定および／または使用された受信機ビームに基づいて、決定することができる。
【０１９９】
ＷＴＲＵ１０２は、ＡＰ／ｅＮＢ６２０および／またはＤＬチャネルによって提供されたＣＳＩに基づいて、コードブックと関連付けられた、および／またはコードブック内のプリコーディングベクトルＷcを決定すること、および／または選択することができる。例えば、ＣＳＩは、ＡＰ／ｅＮＢ６２０によって提供することができ、ＣＳＩは、コードブック内の関連付けられたプリコーディングベクトルのサブセットを決定するために、使用することができる。ＷＴＲＵ１０２は、ＤＬ信号から推定されるＤＬチャネルに基づいて、プリコーディングベクトルの決定されたサブセット内において、プリコーディングベクトルＷcを選択することができる。ある代表的な実施形態においては、ＷＴＲＵ１０２は、ＤＬ信号から推定されるＤＬチャネルに基づいて、コードブックと関連付けられた、および／またはコードブック内のプリコーディングベクトルのサブセットを決定することができる。ＷＴＲＵ１０２は、ＡＰ／ｅＮＢ６２０によって提供されるＣＳＩに基づいて、プリコーディングベクトルのサブセット内において、プリコーディングベクトルＷcを決定することができる。ＣＳＩは、とりわけ、（１）１つもしくは複数のプリコーディングベクトルを含む干渉関連情報（例えば、ＷＴＲＵ１０２は、干渉関連情報内において示すことができるプリコーディングベクトルを使用しないこと、選択しないこと、および／もしくは決定しないことができる）、（２）１つもしくは複数のビーム方向を含むビーム関連情報（例えば、ＷＴＲＵ１０２は、ビーム関連情報内において示すことができるビームインデックス（および／もしくはビーム方向）を使用しないこと、選択しないこと、および／もしくは決定しないことができる）、ならびに／または（３）ＵＬ信号から測定されるＵＬチャネルうちのいずれかを含むことができる。
【０２００】
プリコーディングベクトルＷcは、１つまたは複数の成分プリコーディングベクトルによって、決定すること、使用すること、および／または構成することができる。例えば、Ｗc＝Ｗ1Ｗ2である場合、プリコーダＷ1およびプリコーダＷ2は、成分プリコーダであることができる。とりわけ、以下のうちの１つまたは複数を適用することができる。（１）成分プリコーダ（例えば、各成分プリコーダ）は、関連付けられたコードブックから選択および／もしくは決定することができる。（２）第１の成分プリコーダ（例えば、Ｗ1）は、ネットワークエンティティ（例えば、ＡＰ／ｅＮＢ６２０、コアネットワークエンティティ、もしくは別のネットワークエンティティ）によって決定することができ、および／もしくは第２の成分プリコーダ（例えば、Ｗ2）は、ＷＴＲＵ１０２によって決定することができる。（３）第１の成分プリコーダＷ1は、第１のタイプの情報（例えば、ＣＳＩ、および／もしくはチャネル状態と関連付けられた情報）に基づいて決定することができ、および／もしくは第２の成分プリコーダＷ2は、第２のタイプの情報（例えば、ＤＬチャネルと関連付けられた情報）に基づいて決定することができる。（４）第１の成分プリコーダＷ1は、長期的方式で、使用すること、示すこと、および／もしくは決定することができ、第２の成分プリコーダＷ2は、短期的方式で、使用すること、示すこと、および／もしくは決定することができる（例えば、第１の成分プリコーダＷ1は、第２の成分プリコーダＷ2よりも長い期間基準に基づくことができる）。（５）第１の成分プリコーダＷ1は、広帯域方式で、使用すること、示すこと、および／もしくは決定することができ、第２の成分プリコーダＷ2は、サブバンド方式で、使用すること、示すこと、もしくは決定することができる（例えば、第１の成分プリコーダＷ1は、第２の成分プリコーダＷ2よりも広い帯域幅基準に基づくことができる）。ならびに／または（６）第１の成分プリコーダは、Ｗ1とすることができ、第２の成分プリコーダは、Ｗ2とすることができ、もしくはその逆であることができる。
【０２０１】
コードブックと関連付けられた、および／またはコードブック内の決定されたプリコーディングベクトルＷcは、ネットワーク６００および／またはＡＰ／ｅＮＢ６２０に暗黙的または明示的に示すことができる。決定されたプリコーディングベクトルインデックスは、関連付けられたＵＬ制御信号において、明示的に伝達することができる。例えば、関連付けられたＵＬ制御信号は、物理ＵＬ制御チャネル（例えば、ＰＵＣＣＨ）とすることができる。
【０２０２】
決定されたプリコーディングベクトルインデックスは、ＵＬ  ＤＭ−ＲＳの１つまたは複数のパラメータに基づいて、暗黙的に示すことができる。例えば、１つまたは複数の直交ＤＭ−ＲＳ（例えば、サイクリックシフト）を使用することができ、直交ＤＭ−ＲＳ（例えば、サイクリックシフト）のうちの１つは、決定されたプリコーディングベクトルに基づいて、決定することができる。
【０２０３】
例えば、プリコーディングベクトルＷcは、ネットワークエンティティ（例えば、ＡＰ／ｅＮＢ６２０）によって決定することができ、ＷＴＲＵ１０２に示すことができる。ＷＴＲＵ１０２は、プリコーディングベクトルＷc決定のための支援情報を、報告すること、示すこと、および／または提供することができる。例えば、プリコーディング構造Ｗc＝Ｗ1Ｗ2を使用することができ、プリコーディングベクトルＷcの部分的情報（例えば、プリコーダＷ1および／またはプリコーダＷ2）は、ＷＴＲＵ１０２によって報告すること、示すこと、または提供することができる。以下のうちの１つまたは複数を適用することができる。（１）プリコーディングベクトルＷcを決定するために、第１の成分プリコーダおよび第２の成分プリコーダを使用することができる。（２）第１の成分プリコーダは、ＷＴＲＵ１０２の報告に基づいて、決定することができる（例えば、第１の成分プリコーダのためのプリコーディングベクトルのインデックスは、ＷＴＲＵ１０２から伝達すること、もしくは報告することができる）。ならびに／または（３）第２の成分プリコーダは、ＵＬ基準信号（例えば、サウンディング基準信号（ＳＲＳ））から推定され、測定され、および／もしくは導出されたＵＬチャネルに基づいて、決定することができる。
【０２０４】
プリコーディングベクトルＷcは、２つの成分プリコーダ（例えば、第１および第２の成分プリコーダ）の関数として示されているが、プリコーディングベクトルＷcは、任意の数の成分プリコーダの関数であることができることが企図されている。例えば、プリコーディングベクトルは、３つ以上のネットワークおよび／またはエンドユーザデバイスによって決定することができる、３つの成分ベクトルに基づくことができる。
【０２０５】
ＷＴＲＵ自律的ＵＬプリコーディング決定を無効化するためのＡＰおよび／またはｅＮＢの代表的な手順
ＷＴＲＵ１０２は、ＵＬ信号送信のための１つまたは複数のＵＬプリコーディングベクトルを決定することができる。例えば、ＷＴＲＵ送信機において、ＵＬ送信のために、１つまたは複数の送信アンテナ（および／またはアンテナポート）を使用することができる。ＵＬ送信のための１つまたは複数のプリコーディングベクトルは、ＤＬ信号から推定され、測定され、および／または導出されたチャネルに基づいて、ＷＴＲＵ１０２によって、決定することができる。ＵＬ送信のための１つまたは複数のプリコーディングベクトルのＷＴＲＵ自律的決定は、ＡＰ／ｅＮＢ６２０によって制御されないことがある同一チャネル干渉をもたらすことがある。ＡＰ／ｅＮＢスケジューラは、必要な場合、および／または適切な場合、１つまたは複数のプリコーダのＷＴＲＵ決定を無効化することができることがあり、および／または無効化することがある。
【０２０６】
一例においては、ＡＰ／ｅＮＢ６２０または別のネットワークエンティティによって示され、および／または命令されたプリコーディングベクトルを、ＷＴＲＵ１０２が使用することができるかどうか、および／または使用する必要があることがあるかどうかを示すための表示を使用することができる。ＷＴＲＵ１０２は、ＵＬ信号送信のためのプリコーディングベクトルを決定することができる。例えば、ＷＴＲＵ１０２は、第１の動作モードにおいては、ＵＬ信号送信のために、ＡＰ／ｅＮＢ６２０から示されたプリコーディングベクトルを使用することができ、ＷＴＲＵ１０２は、第２の動作モードにおいては、ＵＬ信号送信のために、プリコーディングベクトルを決定することができる。
【０２０７】
第１の動作モードは、フォールバックＵＬ送信モードと呼ばれることがある。例えば、第１の動作モードにおいては、（１）ＵＬ信号送信のためのプリコーディングベクトルは、関連付けられたＤＣＩにおいて、動的に示すことができ、ある代表的な実施形態においては、プリコーディングベクトルは、より高位のレイヤシグナリングを介して、事前構成することができ、事前構成されたプリコーディングベクトルを使用するように（例えば、ＷＴＲＵ１０２が使用するように）、ＡＰ／ｅＮＢ６２０によって示すこと、および／または命令することができ、ならびに／または（２）ＵＬ信号送信のためのプリコーディングベクトルは、時間／周波数リソースインデックスに基づいて、ランダムに決定することができる（例えば、この動作モードにおいては、プリコーダサイクリングを使用することができる）。
【０２０８】
第２の動作モードは、標準ＵＬ送信モードまたは通常ＵＬ送信モードと呼ばれることがある。例えば、第２の動作モードにおいては、ＵＬ信号送信のためのプリコーディングベクトルは、測定基準信号から推定されたＤＬチャネル、および／またはＡＰ／ｅＮＢ６２０によって提供されたＣＳＩに基づいて、ＷＴＲＵ１０２によって決定することができる。
【０２０９】
動作モードは、とりわけ、以下のうちのいずれかに基づいて、示すこと、決定すること、および／または選択することができる。（１）動作モードを示すために、ＤＬ制御情報（ＤＣＩ）（例えば、１つもしくは複数のＤＣＩ情報）を使用することができる（例えば、第１のＤＣＩフォーマットは、第１の動作モードのために使用することができ、第２のＤＣＩフォーマットは、第２の動作モードのために使用することができる）。（２）動作モードを示すために、異なるＲＮＴＩを有する単一のＤＣＩフォーマットを使用することができる（例えば、ＤＣＩフォーマットのための第１のＲＮＴＩは、第１の動作モードのために（例えば、それを示すために）使用することができ、ＤＣＩフォーマットのための第２のＲＮＴＩは、第２の動作モードのために（例えば、それを示すために）使用することができる（例えば、（ｉ）第１のＲＮＴＩと第２のＲＮＴＩのためのＤＣＩ内容は、異なることができる））。別の例として、第１のＲＮＴＩのためには、プリコーディング行列表示（ＰＭＩ）フィールドが存在することができ、第２のＲＮＴＩのためには、ＰＭＩフィールドが存在しないことができ、および／もしくは（ｉｉ）特定のフィールドを、ＲＮＴＩの関数として異なるように解釈することができる（例えば、ＤＣＩフォーマットのために第１のＲＮＴＩが使用されるとき、もしくは使用されるという条件において、ＵＬ信号送信のためのプリコーディングベクトルを示すために、ＰＭＩフィールドを使用することができ、および／もしくはＤＣＩフォーマットのために第２のＲＮＴＩが使用されるとき、もしくは使用されるという条件下において、プリコーディングベクトル決定のための支援情報を示すために、ＰＭＩフィールドを使用することができる）。ならびに／または（３）動作モードを示すために、ＵＬ信号送信のための関連付けられたＤＣＩ内のビットフィールドを使用できる。
【０２１０】
動作モードを示すために、ＤＬ制御チャネル探索空間パーティショニングを使用することができる。例えば、ＤＬ制御チャネル探索空間は、２つ以上のパーティションに区分することができる。第１の動作モードを示すために、探索空間の第１のパーティションを使用することができ、および／または第２の動作モードを示すために、探索空間の第２のパーティションを使用することができる。
【０２１１】
別の代表的な実施形態においては、プリコーディングベクトルは、周波数非選択性プリコーディングのために、ＡＰ／ｅＮＢ６２０によって示すことができ、１つまたは複数のプリコーディングベクトルは、周波数選択性プリコーディングのために、ＷＴＲＵ１０２によって決定することができる。周波数非選択性プリコーディングは、ある時間および周波数窓（例えば、１つまたは複数のＴＴＩ）内において、ＵＬ信号送信のために単一のプリコーディングベクトルを使用することができる。周波数選択性プリコーディングは、ＵＬ信号送信のために１つまたは複数のプリコーディングベクトルを使用することができる。ＷＴＲＵ１０２のためにスケジュールされた第１の時間／周波数リソースと第２の時間／周波数リソースのためのプリコーディングベクトルは、異なることができる。例えば、ＴＴＩ内におけるＵＬデータ送信のための第１のサブバンドと第２のサブバンドは、異なるプリコーディングベクトルを有することができる。周波数非選択性プリコーディングは、フォールバックＵＬ送信モードと交換可能に使用することができ、周波数選択性プリコーディングは、標準もしくは通常ＵＬ送信モードと交換可能に使用することができ、またはその反対であることができる。
【０２１２】
代表的なハイブリッドＷＴＲＵ  ＭＩＭＯ手順
ハイブリッドＷＴＲＵ  ＭＩＭＯ手順においては、多数のアンテナ方式／動作／手順、および対応するアンテナ重みを、ＡＰ／ｅＮＢ６２０（例えば、ｇＮＢ）およびＷＴＲＵ１０２（例えば、ｇＮＢ６２０およびＷＴＲＵの両方）によって共同して決めること、および／または決定することができる。
【０２１３】
ある例においては、ｇＮＢ６２０は、特定の多数のアンテナ方式／動作を決めること、および／または決定することができ、ＷＴＲＵ１０２は、その決定された方式／動作に基づいて、使用されるアンテナ重みの特定のセットを決めること、および／または決定することができる。例えば、ｇＮＢ６２０は、ＷＴＲＵ１０２がその中において特定および／または特殊な方式を選択することができる、一般化された制約を提供することができる。ＷＴＲＵ１０２は、特定の方式を選択することができ、送信中に使用される方式を示すことができる。例として、ｇＮＢ６２０は、ＷＴＲＵ１０２が、指定された数のストリームを有するアンテナダイバーシティ方式（例えば、ＣＤＤまたはＳＴＢＣ）を使用して、送信すべきこと、送信することができること、または送信することになることを指定すること／示すことができる。
【０２１４】
別の例として、ｇＮＢ６２０は、ＷＴＲＵ１０２が、特定のランクを使用して、送信すべきこと、送信することができること、または送信することになることを指定すること／示すことができ、ＷＴＲＵ１０２は、（例えば、指定されたおよび／または示された特定のランクと関連付けられた）その制約内において、特定の方式を選択することができる。例として、ｇＮＢ６２０は、ＵＬマルチユーザＭＩＭＯ送信をセットアップしていることができ、ＷＴＲＵ１０２が、それの送信を事前定義された部分空間内に保つこと、および／または保つようにＷＴＲＵ１０２を制限することを要求することができる。
【０２１５】
ある例においては、ｇＮＢ６２０は、ＷＴＲＵ１０２が使用することができる広帯域またはサブバンドベースの重みを決めること、および／または決定することができ、ＷＴＲＵ１０２は、使用する特定の重みを選択することができる。例として、ｇＮＢ６２０は、ＷＴＲＵ１０２が送信（例えば、ＵＬ送信）のために使用することができる、サブコードブック、またはコードブックの特定のセットを示すこと、および／または伝達することができる。ＷＴＲＵ１０２は、送信のために、コードブック内においてコードワードの１つを選択することができる。ＷＴＲＵ１０２は、特定の基準に基づいて、コードワードを選択すること（例えば、最適に選択すること）、事前決定された方式でコードワードを繰り返すこと、および／またはコードブックからコードワードの１つをランダムに選択することができる。
【０２１６】
例えば、ｇＮＢ６２０は、ＷＴＲＵ１０２が使用する広帯域アンテナ重み（および／またはアンテナ重みのセット）を決めること、および／または決定することができる。ＷＴＲＵ１０２は、ｇＮＢ６２０指令の１つまたは複数のアンテナ重みを与えられた場合、ＷＴＲＵ１０２の性能を最適化することができる、１つまたは複数のサブバンド（例えば、追加のサブバンド）および／またはリソース要素重みを決めること、および／または決定することができる。
【０２１７】
ある例においては、１つもしくは複数の広帯域（例えば、共通）プリコーダ、および／または１つもしくは複数のサブバンド／ＲＥ固有プリコーダを実施することができることが企図されている。ＲＳは、広帯域（例えば、共通）プリコーダを用いてプリコードすることができ、例えば、ｇＮＢ６２０における、またはｇＮＢ６２０による平滑化されたチャネル推定を可能にすることができる。１つまたは複数の広帯域（例えば、共通）プリコーダは、ｇＮＢ６２０によって選択すること、繰り返すこと、またはランダムに選択することができ、一方、１つまたは複数のサブバンド／ＲＥベースのプリコーダは、ＷＴＲＵ１０２によって選択することができる。ＷＴＲＵ１０２は、プリコードされないＲＳを使用することができ、またはデータリソース上におけるプリコーダに加えて、１つもしくは複数の周波数バンドにわたる共通ＲＳプリコーダを使用することができる。
【０２１８】
代表的な自律的ＷＴＲＵ−ＭＩＭＯ手順においては、ＷＴＲＵ１０２は、例えば、チャネル相反性を仮定することによって、および／またはチャネル相反性に基づいて、ｇＮＢ６２０からのＤＬ基準信号送信に基づいて、チャネルを推定することができる。ＤＬ基準信号は、プリコードされないべきであり、もしくはプリコードされない必要があることがある（またはｇＮＢ６２０が受信のために使用するのと同じビームを用いてプリコードされる）。
【０２１９】
代表的なハイブリッドＷＴＲＵ  ＭＩＭＯ手順においては、ＷＴＲＵ１０２は、あるレベル（例えば、何らかのレベル）のチャネル知識を有するべきであり、および／または有する必要があることがあり、同様に、チャネル相反性を使用することができる。
【０２２０】
ＷＴＲＵ較正能力表示のための代表的な手順
ＷＴＲＵ１０２は、それの較正状態に基づいて、相反性ベースの測定を使用することができる。ＷＴＲＵ１０２が、適切に較正されていない場合、ＷＴＲＵ１０２は、ＣＳＩベースの動作にフォールバックすることができ、および／またはＣＳＩベースの動作においてフォールバックする必要があることがあり、もしくはフォールバックすることを望むことがある。ＷＴＲＵ１０２の較正状態は、数々の異なる手順、動作、および／または方法で、ＡＰ／ｅＮＢ６２０に伝達することができる。
【０２２１】
一例においては、ＷＴＲＵ１０２は、ＲＲＣシグナリングを通して、較正状態を宣言することができる。例えば、ＲＲＣ  ｕｅＣａｐａｂｉｌｉｔｙＩｎｆｏｒｍａｔｉｏｎメッセージ内の独立フィールドとして、情報を搬送することができる。これは、較正ステータスを示す単一ビットフラグの形態を取ることができる。
【０２２２】
別の例においては、ＷＴＲＵ較正状態は、フィールド、例えば、ＲＲＣ  ｕｅＣａｐａｂｉｌｉｔｙＩｎｆｏｒｍａｔｉｏｎメッセージを通してまたは介して伝達されるＷＴＲＵカテゴリフィールド、またはｕｅカテゴリフィールドによって暗示することができる。あるＷＴＲＵクラスは、較正されていると見なすことができる（例えば、常に較正されていると見なすことができる）。
【０２２３】
さらなる例においては、ＷＴＲＵ１０２は、特定の信号の送信によって、それの較正状態を動的に示すことができる。較正ステータス情報は、ＵＬ信号の特定のパラメータ、属性、および／またはリソースによって（例えば、とりわけ、位相、シード、および／またはルート系列など、ＵＬ信号の特定のパラメータ、属性、および／またはリソースを使用して）搬送することができる。例えば、ＵＬ  ＤＭＲＳシグナリング、ＳＲＳシグナリング、および／またはＰＲＡＣＨシグナリングのためにＺＣ系列を使用するとき、適切なサイクリックシフトの選択によって、情報を示すことができる。別の例においては、奇数／偶数など、ＵＬ信号のサブキャリアロケーションから、情報を導出することができる。ある代表的な実施形態においては、較正ステータス情報は、ＵＣＩメッセージ内のフィールドによって、直接的に搬送することができる。
【０２２４】
図１２は、ＷＴＲＵによって実施される代表的な方法を示す図である。
【０２２５】
図１２を参照すると、代表的な方法１２００は、ブロック１２１０において、ＷＴＲＵ１０２が第１のビームフォーミング行列を決定することを含むことができる。ブロック１２２０において、ＷＴＲＵ１０２は、ネットワークエンティティ６２０に、第１のビームフォーミング行列の表示を送信することができる。ブロック１２３０において、ＷＴＲＵ１０２は、送信用データをビームフォーミングするために、ネットワークエンティティ６２０から、ネットワークエンティティ６２０によって少なくとも第１のビームフォーミング行列から決定された第２のビームフォーミング行列の表示を受信することができる。例えば、ＷＴＲＵは、第１および第２のビームフォーミング行列を使用して、送信用データをビームフォーミングすることができる。
【０２２６】
図１３は、ＷＴＲＵによって実施される別の代表的な方法を示す図である。
【０２２７】
図１３を参照すると、代表的な方法１３００は、ブロック１３１０において、ＷＴＲＵ１０２が、ＵＬチャネル推定を、ＵＬチャネルに対応するＤＬチャネルのＤＬ測定に基づいて決定することを含むことができる。ブロック１３２０において、ＷＴＲＵ１０２は、第１のビームフォーミング情報を、決定されたＵＬチャネルに基づいて決定することができる。ブロック１３３０において、ＷＴＲＵ１０２は、ネットワークエンティティ６２０から、送信用データをビームフォーミングするために、第２のビームフォーミング情報を受信することができ、第２のビームフォーミング情報は、（１）ＷＴＲＵ１０２によってネットワークエンティティ６２０に送信される第１のビームフォーミング情報に基づき、または（２）ＵＬチャネル関連情報を使用して、ネットワークエンティティによって推測される。
【０２２８】
ある代表的な実施形態においては、ＷＴＲＵ１０２は、ネットワークエンティティ６２０に、決定された第１のビームフォーミング情報を伝達することができる。
【０２２９】
ある代表的な実施形態においては、ＷＴＲＵ１０２は、送信用データを、第１および第２のビームフォーミング行列を使用してビームフォーミングすることができる。
【０２３０】
ある代表的な実施形態においては、第１のビームフォーミング情報は、ネットワークエンティティ６２０によって推測することができ、それは、ネットワークエンティティ６２０への第１のビームフォーミング情報の伝達を排除することができる。
【０２３１】
ある代表的な実施形態においては、第１のビームフォーミング情報は、ネットワークエンティティ６２０において、ＵＬチャネル統計に基づいて推測することができる。
【０２３２】
ある代表的な実施形態においては、ＷＴＲＵ１０２は、ＤＬチャネル推定を、（１）ＤＬデータおよび／もしくは制御情報内に埋め込まれたＤＬ基準信号もしくは復調基準信号から導出することができ、（２）ＤＬチャネル推定からＵＬチャネル推定を決定するために使用される、線形変換または非線形変換を決定することができ、ならびに／または（３）ＵＬチャネル推定を、ＤＬチャネル推定および決定された変換から生成することができる。
【０２３３】
ある代表的な実施形態においては、ＷＴＲＵ１０２は、第１のビームフォーミング情報を、ＵＬチャネル推定から、またはＵＬチャネル推定の共分散行列の固有ベクトルのすべてもしくはサブセットに基づいて導出することができる。
【０２３４】
ある代表的な実施形態においては、ＷＴＲＵ１０２は、１つもしくは複数のプリコードされた基準信号、またはビームフォーミング行列および／もしくはビームフォーミングベクトルの表現のうちのいずれかを送信することができる。
【０２３５】
ある代表的な実施形態においては、ビームフォーミング行列またはビームフォーミングベクトルの表現は、（１）行列インデックス（ＭＩ）、（２）ビームフォーミング行列もしくはビームフォーミングベクトルのための値の圧縮されたセット、ならびに／または（３）周波数および／もしくは時間にわたってＷＴＲＵ１０２によってネットワークエンティティ６２０に以前送信されたベクトル間の差を示す差分ＭＩもしくはベクトルのうちのいずれかを含むことができる。
【０２３６】
ある代表的な実施形態においては、ＷＴＲＵ１０２は、第２のビームフォーミング情報を更新することができるように、第２のビームフォーミング情報を定期的または非定期的に受信することができる。
【０２３７】
ある代表的な実施形態においては、第１のビームフォーミング情報は、（１）閾値よりも低い時間および／もしくは周波数におけるチャネル変動、または（２）閾値よりも高い時間および／もしくは周波数におけるチャネル変動のうちの一方を追跡することができ、第２のビームフォーミング情報は、（１）閾値よりも低い時間および／もしくは周波数におけるチャネル変動、または（２）閾値よりも高い時間および／もしくは周波数におけるチャネル変動のうちの他の一方を追跡することができる。
【０２３８】
ある代表的な実施形態においては、ＷＴＲＵ１０２は、ＤＬにおける信号の到着角（ＡＯＡ）を測定することができ、第１のビームフォーミング情報を、測定されたＡＯＡを使用して決定することができる。
【０２３９】
ある代表的な実施形態においては、ＷＴＲＵ１０２は、プリコーディングベクトルを、（１）ＤＬ信号受信のための受信機ビームもしくは受信機ビームインデックス、ならびに／または（２）例えば、ネットワークエンティティ６２０によって、および／もしくはＤＬチャネルを介して提供される、チャネル状態情報（ＣＳＩ）のうちのいずれかに基づいて決定することができる。
【０２４０】
ある代表的な実施形態においては、ＣＳＩは、（１）干渉関連情報、（２）ビーム関連情報、および／または（３）ＵＬ信号から測定されたＵＬチャネル関連情報のうちのいずれかを含むことができる。
【０２４１】
ある代表的な実施形態においては、ＷＴＲＵ１０２は、ネットワークエンティティ６２０から獲得された情報と関連付けられた第１の成分プリコーダを、ＷＴＲＵ１０２によって決定された第２の成分プリコーダと組み合わせることができる。
【０２４２】
ある代表的な実施形態においては、第１の成分プリコーダは、（１）第２の成分プリコーダの基準よりも長い時間フレームと関連付けられた基準、および／または（２）第２の成分プリコーダの対応する帯域幅よりも広い対応する帯域幅のうちの一方に基づいて、選択することができる。
【０２４３】
図１４は、ＷＴＲＵによって実施されるさらなる代表的な方法を示す図である。
【０２４４】
図１４を参照すると、代表的な方法１４００は、ブロック１４１０において、ＷＴＲＵ１０２が、ＵＬチャネル推定を、ＵＬチャネルに対応するＤＬチャネルのＤＬ測定に基づいて決定することを含むことができる。ブロック１４２０において、ＷＴＲＵ１０２は、干渉方向と関連付けられた干渉チャネルに関するペイロードを受信し、デコードすることができる。ブロック１４３０において、ＷＴＲＵ１０２は、ビームフォーミング行列インデックスを、デコードされたペイロードから決定することができる。ブロック１４４０において、ＷＴＲＵ１０２は、干渉チャネルがビームフォーミング行列またはビームフォーミングベクトルのヌル空間内にあるように、ビームフォーミング行列および／またはビームフォーミングベクトルを、推定されたＵＬチャネルおよび干渉チャネルに基づいて決定することができる。ブロック１４５０において、ＷＴＲＵ１０２は、送信用データを、決定されたビームフォーミング行列および／または決定されたビームフォーミングベクトルを使用してビームフォーミングすることができる。
【０２４５】
ある代表的な実施形態においては、ＷＴＲＵ１０２は、ネットワークエンティティ６２０を介して、干渉チャネルと関連付けられたビームフォーミング情報を含むペイロードを受信することができる。例えば、干渉チャネルは、単一の干渉チャネル、または複数の干渉チャネルの合成とすることができる。
【０２４６】
ある代表的な実施形態においては、ＷＴＲＵ１０２は、ビームフォーミング行列および／またはビームフォーミングベクトルの列空間を、含まれるビームフォーミング情報によって示される行列またはベクトルの列空間に直交させるように、ビームフォーミング行列および／またはビームフォーミングベクトルを決定することができる。
【０２４７】
ある代表的な実施形態においては、ＷＴＲＵ１０２は、ネットワークエンティティ６２０を介して、干渉チャネルの方向を示す情報を受信することができ、示された方向を使用することを回避または実質的に回避するように、ビームフォーミング行列および／またはビームフォーミングベクトルを決定することができる。
【０２４８】
ある代表的な実施形態においては、ＷＴＲＵ１０２は、ネットワークエンティティ６２０を介して、方向を示す情報を受信することができ、示された方向を使用するように、ビームフォーミング行列および／またはビームフォーミングベクトルを決定することができる。
【０２４９】
図１５は、ＷＴＲＵによって実施される追加の代表的な方法を示す図である。
【０２５０】
図１５を参照すると、代表的な方法１５００は、ブロック１５１０において、ＷＴＲＵ１０２が、ＵＬチャネル推定を、ＵＬチャネルに対応するＤＬチャネルのＤＬ測定に基づいて決定することを含むことができる。ブロック１５２０において、ＷＴＲＵ１０２は、ネットワークエンティティ６２０に、第１のビームフォーミング情報を使用してプリコードされたＳＲＳを伝達することができる。ブロック１５３０において、ＷＴＲＵ１０２は、ネットワークエンティティ６２０から、ペイロードを受信することができる。ブロック１５４０において、ＷＴＲＵ１０２は、ペイロードから、第２のビームフォーミング情報に関する行列インデックスを決定することができる。ブロック１５５０において、ＷＴＲＵ１０２は、第２のビームフォーミング情報を、決定された行列インデックスから識別することができる。ブロック１５６０において、ＷＴＲＵ１０２は、送信用データを、第１および第２のビームフォーミング情報を使用してビームフォーミングすることができる。
【０２５１】
ある代表的な実施形態においては、ＷＴＲＵ１０２は、行列インデックスについて監視することができ、行列インデックスをデコードすることができる。
【０２５２】
ある代表的な実施形態においては、第２のビームフォーミング情報の受信は、第２のビームフォーミング情報が更新されるように、定期的または非定期的に発生することができる。
【０２５３】
図１６は、ＷＴＲＵによって実施されるまたさらなる代表的な方法を示す図である。
【０２５４】
図１６を参照すると、代表的な方法１６００は、ブロック１６１０において、ＷＴＲＵ１０２が、ＵＬチャネル推定を、ＵＬチャネルに対応するＤＬチャネルのＤＬ測定に基づいて決定することを含むことができる。ブロック１６２０において、ＷＴＲＵ１０２は、アクセスポイント（ＡＰ）６２０に、推奨されるプリコーダのセット、または推奨されるプリコーダのセットを表す１つもしくは複数のコードブック値を送信することができる。ブロック１６３０において、ＷＴＲＵ１０２は、ＡＰから、（１）ＷＴＲＵによって決定された推奨されるプリコーダが、ＡＰとのＵＬ通信のために使用されるべきかどうかを示す表示、（２）ＡＰとのＵＬ通信のための１つもしくは複数の選択されたプリコーダを示す、１つもしくは複数のコードブック値、および／または（３）ＡＰとのＵＬ通信のための選択されたプリコーダのセットのうちのいずれかを受信することができる。
【０２５５】
図１７は、ＷＴＲＵによって実施されるまた追加の代表的な方法を示す図である。
【０２５６】
図１７を参照すると、代表的な方法１７００は、ブロック１７１０において、ＷＴＲＵ１０２が、ＵＬチャネル推定を、ＵＬチャネルに対応するＤＬチャネルのＤＬ測定に基づいて決定することを含むことができる。ブロック１７２０において、ＷＴＲＵ１０２は、１つまたは複数のプリコーダを、ＵＬチャネルの決定された推定に基づいて選択することができる。ブロック１７３０において、ＷＴＲＵ１０２は、ＡＰから、選択された１つまたは複数のプリコーダを無効化するための無効化表示を受信することができる。例えば、無効化表示は、ＷＴＲＵ１０２が、ＵＬ信号送信ために、第１の動作モードと関連付けられた、ＡＰによって示されたプリコーディングベクトルを使用することができるかどうか、もしくは使用すべきかどうかを示すことができ、またはＷＴＲＵ１０２が、ＵＬ信号送信ために、第２の動作モードと関連付けられた、ＷＴＲＵによって設定されたプリコーディングベクトルを使用することができるかどうか、もしくは使用すべきかどうかを示すことができる。第１の動作モードにおいては、ＵＬ信号送信のためのプリコーディングベクトルは、（１）ダウンリンク制御情報内において動的に示されること、（２）より高位レイヤのシグナリングを介して事前構成されること、または（３）時間／周波数リソースインデックスに基づいてランダムに決定されることのうちのいずれかであることができる。第２の動作モードにおいては、ＵＬ信号送信のためのプリコーディングベクトルは、ＷＴＲＵ１０２によって、測定基準信号から推定されるＤＬチャネル、および／またはＡＰ６２０によって提供されるチャネル状態情報に基づいて決定することができる。
【０２５７】
ある代表的な実施形態においては、動作モードは、（１）第１のダウンリンク制御チャネル（ＤＣＩ）フォーマットが、第１の動作モードを示すことができ、第２のＤＣＩフォーマットが、第２の動作モードを示すことができるような、ＤＣＩ、（２）単一のＤＣＩフォーマットのための第１のＲＮＴＩが、第１の動作モードを示すことができ、単一のＤＣＩフォーマットのための第２のＲＮＴＩが、第２の動作モードを示すことができるような、異なるＲＮＴＩ、および／または（３）動作モードを示すことができる、ＵＬ信号送信のためのＤＣＩ内のビットフィールドのうちのいずれかによって示すことができる。
【０２５８】
ある代表的な実施形態においては、周波数非選択性プリコーディングのためのプリコーディングベクトルを、ＡＰ６２０によって示すことができ、周波数選択性プリコーディングのための１つまたは複数のプリコーディングベクトルは、ＷＴＲＵ１０２によって決定することができる。
【０２５９】
図１８は、ＷＴＲＵによって実施されるまた別の代表的な方法を示す図である。
【０２６０】
図１８を参照すると、代表的な方法１８００は、ブロック１８１０において、ＷＴＲＵ１０２が、チャネル相反性を使用してＵＬチャネルを推定するかどうかを、ＷＴＲＵの較正状態に基づいて決定することを含むことができる。ブロック１８２０において、チャネル相反性を使用するのに較正状態が十分であるという条件において、ＷＴＲＵ１０２は、ＵＬチャネル推定を、ＵＬチャネルに対応するＤＬチャネルのＤＬ測定に基づいて決定することができる。ブロック１８３０において、チャネル相反性を使用するのに較正状態が不十分であるという条件において、ＷＴＲＵ１０２は、ＵＬチャネル推定を、チャネル状態情報を使用して決定することができる。ブロック１８４０において、ＷＴＲＵ１０２は、ＡＰ６２０とのＵＬ通信のための１つまたは複数のプリコーディングベクトルを、決定されたＵＬチャネル推定に基づいて決定することができる。例えば、較正状態は、ＲＲＣメッセージにおいて搬送される単一ビットフラグであることができる。
【０２６１】
図１９は、ＮＥによって実施される代表的な方法を示す図である。図１９を参照すると、代表的な方法１９００は、ブロック１９１０において、複数のＷＴＲＵ１０２のうちの各それぞれのＷＴＲＵ１０２について、ＮＥ６２０が、それぞれＷＴＲＵ１０２から、第１のビームフォーミング情報を受信または推測し、受信または推測された第１のビームフォーミング情報に基づいて、それぞれのＷＴＲＵ１０２と関連付けられた第２のビームフォーミング情報を決定し、それぞれのＷＴＲＵ１０２に、第２のビームフォーミング情報を送信することができることを含むことができる。
【０２６２】
図２０は、ＮＥによって実施される別の代表的な方法を示す図である。図２０を参照すると、代表的な方法２０００は、ブロック２０１０において、複数のＷＴＲＵ１０２−１、１０２−２．．．１０２−Ｋのうちの各それぞれのＷＴＲＵ１０２−１について、ＮＥ６２０が、ビームフォーミング情報を受信し、受信されたビームフォーミング情報に基づいて、それぞれのＷＴＲＵ１０２−１以外のＷＴＲＵ１０２−２．．．１０２−Ｋと関連付けられた合成干渉チャネル情報を決定し、それぞれのＷＴＲＵ１０２−１に、合成干渉チャネル情報を送信することができることを含むことができる。例えば、合成干渉チャネル情報は、（１）それぞれのＷＴＲＵ１０２−１のビームフォーミングのために含まれる第１の方向、（２）それぞれのＷＴＲＵ１０２−１のビームフォーミングのために回避される第２の方向、および／または（３）第２のビームフォーミング行列もしくは第２のビームフォーミングベクトルの列空間を、示されたもしくは含まれる行列もしくはベクトルの列空間に直交化させるための、行列もしくはベクトルのうちのいずれかを示すこと、または含むことができる。
【０２６３】
図２１は、ＮＥによって実施されるさらなる代表的な方法を示す図である。
【０２６４】
図２１を参照すると、代表的な方法２１００は、ブロック２１１０において、複数のＷＴＲＵ１０２−１、１０２−２．．．１０２−Ｋのうちの各それぞれのＷＴＲＵ１０２−１について、ＮＥ６２０が、それぞれのＷＴＲＵ１０２−１から、第１のビームフォーミング情報を使用してプリコードされたＳＲＳを受信し、第２のビームフォーミング情報を、少なくとも受信されたプリコードされたＳＲＳを使用して決定し、それぞれのＷＴＲＵ１０２に、第２のビームフォーミング情報に関する行列インデックスを含むペイロードを送信することができることを含むことができる。
【０２６５】
図２２は、ＮＥによって実施される追加の代表的な方法を示す図である。図２２を参照すると、代表的な方法２２００は、ブロック２２１０において、ＮＥ６２０が、ＵＬチャネル推定を、複数のＷＴＲＵ１０２についてのＵＬ測定に基づいて決定することを含むことができる。ブロック２２２０において、ＮＥ６２０は、複数のＷＴＲＵ１０２のうちの各それぞれのＷＴＲＵ１０２−１、１０２−２．．．１０２−Ｋから、推奨されるプリコーダのセット、または推奨されるプリコーダのセットを表す１つもしくは複数のコードブック値を受信することができる。ブロック２２３０において、ＮＥ６２０は、例えば、複数のＷＴＲＵ１０２からのＵＬ通信についての相互干渉を低減させる、または最小化するために、複数のＷＴＲＵ１０２のうちのそれぞれのＷＴＲＵ１０２−１のための少なくとも１つのプリコーダを、推奨されるプリコーダの受信されたセットに基づいて選択することができる。ブロック２２４０において、ＮＥ６２０は、（１）ＷＴＲＵ１０２によって決定された推奨されるプリコーダを、ＮＥ６２０とのＵＬ通信のために使用することができるかどうか、もしくは使用すべきかどうかを示す表示、（２）ＮＥ６２０とのＵＬ通信のための１つもしくは複数の選択されたプリコーダを示す、１つもしくは複数のコードブック値、および／または（３）ＮＥ６２０とのＵＬ通信のための選択されたプリコーダのセットのうちのいずれかを送信することができる。
【０２６６】
ある代表的な実施形態においては、ＮＥ６２０は、複数のＷＴＲＵ１０２の干渉および／またはスケジューリング要件のいずれかを分析することができる。
【０２６７】
図２３は、送信ダイバーシティモードのために、ＷＴＲＵによって実施されるさらなる代表的な方法を示す図である。
【０２６８】
図２３を参照すると、代表的な方法２３００は、ブロック２３１０において、ＷＴＲＵ１０２が、第１のプリコーディング情報を、ＮＥ６２０との送信ダイバーシティモードにおけるデータ通信のために事前構成することを含むことができる。ブロック２３２０において、ＷＴＲＵ１０２は、ＵＬチャネルの推定を、ＵＬチャネルに対応するＤＬチャネルのＤＬ測定に基づいて決定することができる。ブロック２３３０において、ＷＴＲＵ１０２は、第２のプリコーディング情報を、ＵＬチャネルの推定に基づいて決定することができる。ブロック２３４０において、ＷＴＲＵ１０２は、ＮＥ６２０と、事前構成された第１のプリコーディング情報および第２のプリコーディング情報を使用してデータ通信することができる。例えば、第１のプリコーディング情報は、（１）ＷＴＲＵ１０２において事前構成される、および／または（２）ＮＥ６２０によって、ＷＴＲＵ１０２による通信用データのオープンループプリコーディングのための情報として送信される、静的または半静的な情報のうちのいずれかであることができる。
【０２６９】
ある代表的な実施形態においては、第１のプリコーディング情報は、ＷＴＲＵ１０２の１つまたは複数の送信ダイバーシティモードと関連付けることができる。
【０２７０】
ある代表的な実施形態においては、ＷＴＲＵ１０２は、ＵＬ送信を、複数のアンテナ１２２上において送信することができる。例えば、アンテナ１２２の数は、ＵＬ送信と関連付けられた次元よりも大きいことができる。
【０２７１】
ある代表的な実施形態においては、第２のプリコーディング情報は、ビームフォーミングと関連付けられた情報を含むことができ、（１）ＴＤＤシステムについては、直接的チャネル推定および／もしくは統計的チャネル推定のいずれかに基づくことができ、ならびに／または（２）ＦＤＤシステムについては、統計的チャネル推定に基づくことができる。
【０２７２】
ある代表的な実施形態においては、第２のプリコーディング情報は、ＵＬチャネルの推定の固有方向に基づくことができる。
【０２７３】
ある代表的な実施形態においては、第１のプリコーディング情報は、ＷＴＲＵ１０２が送信ダイバーシティモードにおいて動作する１つまたは複数の持続時間の間、ＷＴＲＵ１０２によって使用することができる。
【０２７４】
ある代表的な実施形態においては、ＷＴＲＵ１０２は、２つ以上の方向においてＵＬ送信を送信するためにビーム多様体を使用することができるように、ＵＬ送信を、ビーム多様体を使用して生成することができる。
【０２７５】
ある代表的な実施形態においては、ＷＴＲＵ１０２は、第３のプリコーディング情報を、摂動要素に基づいて決定することができる。例えば、第３のビームフォーミング情報は、摂動要素を含む対角行列εに基づくことができる。対角行列ε内に含まれる摂動要素は、εi＜＜ｄiであるように、選択することができ、ここで、ｄiは、統計的チャネル推定および／または直接的チャネル推定のうちのいずれかの特異値分解（ＳＶＤ）からもたらされる固有値である。
【０２７６】
ある代表的な実施形態においては、ＷＴＲＵ１０２は、２つ以上のＵＬチャネルと関連付けられた２つ以上の推定を決定することができる。決定されたＵＬチャネルは、同時に、日和見的に、および／または事前の調整に基づいて、送信することができる。
【０２７７】
図２４は、ＵＬ  ＭＩＭＯ通信を管理するために、ＷＴＲＵによって実施される代表的な方法を示す図である。
【０２７８】
図２４を参照すると、代表的な方法２４００は、ブロック２４１０において、ＷＴＲＵ１０２が、ＮＥ６２０に、１つまたは複数の基準信号（ＲＳ）を送信することを含むことができる。ブロック２４２０において、ＷＴＲＵ１０２は、ＮＥ６２０から、第１のプリコーディング制約情報を含む、または第１のプリコーディング制約情報を示すメッセージを受信することができる。ブロック２４３０において、ＷＴＲＵ１０２は、第２のプリコーディング制約情報を、メッセージ内において受信された、または示された第１のプリコーディング制約情報に従って決定することができる。ブロック２４４０において、ＷＴＲＵ１０２は、ＵＬ通信のためのプリコーダを、少なくとも決定された第２のプリコーディング制約情報を使用して選択することができる。ブロック２４５０において、ＷＴＲＵ１０２は、ＮＥ６２０に、ＵＬ  ＭＩＭＯ通信を、選択されたプリコーダを使用して送信することができる。
【０２７９】
ある代表的な実施形態においては、メッセージは、第１のプリコーディング制約情報として、（１）広帯域アンテナ重みのセット、（２）サブバンドアンテナ重みの１つもしくは複数のセット、（３）広帯域アンテナ重みの範囲、および／または（４）サブバンドアンテナ重みの１つもしくは複数の範囲のうちのいずれかを示す情報を含むことができる。
【０２８０】
ある代表的な実施形態においては、ＷＴＲＵ１０２は、第２のプリコーディング制約情報として、メッセージ内において示されたアンテナ重みの中から、１つまたは複数の特定のアンテナ重みを選択することができる。
【０２８１】
ある代表的な実施形態においては、メッセージは、第１のプリコーディング制約情報として、コードブックと関連付けられたコードワード、またはＷＴＲＵ１０２がＵＬ  ＭＩＭＯ通信のためにそこから選択すべきコードワードの特定のセットを示すこと、または含むことができる。
【０２８２】
ある代表的な実施形態においては、ＷＴＲＵ１０２は、第２のプリコーディング制約情報を、（１）特定の基準に基づいて、示されたもしくは含まれるコードワードのうちの１つを選択すること、（２）事前決定された方式で、示されたもしくは含まれるコードワードを繰り返すことによって、示されたもしくは含まれるコードワードのうちの１つを選択すること、および／または（３）示されたもしくは含まれるコードワードのうちの１つをランダムに選択することのうちのいずれかによって、第１のプリコーディング制約情報に従って決定することができる。
【０２８３】
ある代表的な実施形態においては、ＷＴＲＵ１０２は、第２のプリコーディング制約情報を、（１）特定の基準に基づいて、示されたもしくは含まれるコードワードのうちの１つを選択すること、（２）事前決定された方式で、示されたもしくは含まれるコードワードを繰り返すことによって、示されたもしくは含まれるコードワードのうちの１つを選択すること、および／または（３）示されたもしくは含まれるコードワードのうちの１つをランダムに選択することのうちのいずれかによって、第１のプリコーディング制約情報に従って決定することができる。
【０２８４】
ある代表的な実施形態においては、メッセージは、広帯域アンテナ重みを示す情報を含むことができ、ＷＴＲＵ１０２は、１つまたは複数のサブバンドおよび／またはリソース要素重みを、示された広帯域アンテナ重みに従って決定することができる。
【０２８５】
ある代表的な実施形態においては、ＷＴＲＵ１０２は、第２のプリコーディング制約情報として、１つまたは複数の特定のアンテナ重みを、メッセージ内において示されたアンテナ重みの中から選択することができる。
【０２８６】
ある代表的な実施形態においては、ＷＴＲＵ１０２は、ＵＬ  ＭＩＭＯ通信のためのアンテナ重みを、第１のプリコーディング制約情報に基づいて決定することができ、プリコーダを、第２のプリコーディング制約情報および決定されたアンテナ重みを使用して選択することができる。
【０２８７】
ある代表的な実施形態においては、第１のプリコーディング制約情報は、（１）特定のマルチプルアンテナ方式、（２）送信方式、（３）指定された数のストリーム、（４）ＷＴＲＵ１０２からの送信がその中に制約される部分空間を示す部分空間制約、および／または（５）ランクのうちのいずれかを示す情報を含むことができる。例えば、特定のマルチプルアンテナ方式は、（１）時間ダイバーシティ方式、（２）空間ダイバーシティ方式、および／もしくは（３）周波数ダイバーシティ方式、（４）偏波ダイバーシティ方式、（５）マルチユーザダイバーシティ方式、（６）協調的ダイバーシティ方式、（７）空間−時間ブロック符号（ＳＴＢＣ）方式、ならびに／または（８）巡回遅延ダイバーシティ（ＣＤＤ）方式のうちのいずれかを含むことができる。
【０２８８】
ある代表的な実施形態においては、メッセージは、（１）ダウンリンク制御チャネル上において受信されること、（２）アップリンクグラント内において受信されること、および／または（３）制御シグナリングとして受信されることのうちのいずれかであることができる。
【０２８９】
ある代表的な実施形態においては、表示は、（１）コードワード、および／または（２）プリコーディングもしくはビームフォーミング行列インデックス（ＰＭＩ）のうちのいずれかであることができる。
【０２９０】
ある代表的な実施形態においては、１つまたは複数の基準信号（ＲＳ）は、多次元サウンディングＲＳであることができる。例えば、多次元サウンディングＲＳは、（１）ＷＴＲＵの送信アンテナの数、（２）ＷＴＲＵ１０２の送信アンテナの特性、および／または（３）ＷＴＲＵ１０２の有効送信ビームの数のうちのいずれかに基づいた次元を有することができる。
【０２９１】
ある代表的な実施形態においては、ＷＴＲＵ１０２は、ＮＥ６２０から、１つまたは複数のＲＳを、１つまたは複数のフィードバックＲＳとして受信することができ、チャネルを、１つまたは複数のフィードバックＲＳを使用して推定することができる。
【０２９２】
ある代表的な実施形態においては、１つまたは複数のＲＳは、ＮＥ６２０が受信のために使用するのと同じビームを用いて、プリコードしないことができ、またはプリコードすることができる。
【０２９３】
図２５は、ＵＬ  ＭＩＭＯ通信を管理するために、ＮＥによって実施される代表的な方法を示す図である。
【０２９４】
図２５を参照すると、代表的な方法２５００は、ブロック２５１０において、ＮＥ６２０が、ＷＴＲＵ１０２から、１つまたは複数の基準信号（ＲＳ）を受信することを含むことができる。ブロック２５２０において、ＮＥ６２０は、チャネルを、受信された１つまたは複数のＲＳに基づいて推定することができる。ブロック２５３０において、ＮＥ６２０は、第１のプリコーディング制約情報を決定することができる。ブロック２５４０において、ＮＥ６２０は、ＷＴＲＵ１０２に、第１のプリコーディング制約情報、または第１のプリコーディング制約情報の表示を送信することができる。ブロック２５５０において、ＮＥ６２０は、ＵＬ  ＭＩＭＯ通信を、推定されたチャネルに基づいてデコードすることができる。
【０２９５】
ある代表的な実施形態においては、ＮＥ６２０は、表示を、（１）ダウンリンク制御チャネル上において、（２）アップリンクグラント内において、および／または（３）制御シグナリングとしてのうちのいずれかで送信することができる。
【０２９６】
ある代表的な実施形態においては、ＮＥ６２０は、表示を、（１）コードワード内、および／または（２）プリコーディングもしくはビームフォーミング行列インデックス（ＰＭＩ）内のうちのいずれかで送信することができる。
【０２９７】
ある代表的な実施形態においては、１つまたは複数の基準信号（ＲＳ）は、多次元サウンディングＲＳであることができる。例えば、多次元サウンディングＲＳは、（１）ＷＴＲＵ１０２の送信アンテナの数、（２）ＷＴＲＵ１０２の送信アンテナの特性、および／または（３）ＷＴＲＵ１０２の有効送信ビームの数のうちのいずれかに基づいた次元を有することができる。
【０２９８】
ある代表的な実施形態においては、第１のプリコーディング制約情報は、（１）特定のマルチプルアンテナ方式、（２）送信方式、および指定された数のストリーム、（３）ＷＴＲＵ１０２からの送信がその中に制約される部分空間を示す部分空間制約、ならびに／または（４）ランクのうちのいずれかを示す情報を含むことができる。
【０２９９】
ある代表的な実施形態においては、第１のプリコーディング制約情報は、広帯域もしくはサブバンドベースのアンテナ重みのセット、および／またはアンテナ重みの範囲を示す情報を含むことができる。
【０３００】
上では、特徴および要素が、特定の組み合わせで説明されたが、各特徴または要素は、単独で使用することができ、または他の特徴および要素との任意の組み合わせで使用することができることを、当業者は理解しよう。加えて、本明細書において説明される方法は、コンピュータまたはプロセッサによる実行のために、コンピュータ可読媒体内に含まれる、コンピュータプログラム、ソフトウェア、またはファームウェアで実施することができる。非一時的コンピュータ可読記憶媒体の例は、限定することなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ＵＥ、ＷＴＲＵ、端末、基地局、ＲＮＣ、または任意のホストコンピュータにおいて使用するための無線周波数送受信機を実施するために、ソフトウェアと連携するプロセッサを使用することができる。
【０３０１】
さらに、上で説明された実施形態においては、処理プラットフォーム、コンピューティングシステム、コントローラ、およびプロセッサを含む他のデバイスが、言及された。これらのデバイスは、少なくとも１つの中央処理ユニット（「ＣＰＵ」）と、メモリとを含むことができる。コンピュータプログラミング分野の当業者の慣例に従って、行為、および動作または命令のシンボル表現についての言及は、様々なＣＰＵおよびメモリによって実行することができる。そのような行為、および動作または命令は、「実行される」、「コンピュータ実行される」、または「ＣＰＵ実行される」と言われることがある。
【０３０２】
行為、およびシンボリックに表現された動作または命令は、ＣＰＵによる電気信号の操作を含むことを、当業者は理解しよう。電気システムは、結果として生じる電気信号の変換または変形、およびメモリシステム内のメモリロケーションにおけるデータビットの維持を引き起こすことができ、それによって、ＣＰＵの動作、および信号の他の処理を再構成する、または他の方法で変更する、データビットを表す。データビットが維持されるメモリロケーションは、データビットに対応する、またはデータビットを表す、特定の電気的、磁気的、光学的、または有機的特性を有する、物理的ロケーションである。例示的な実施形態は、上述されたプラットフォームまたはＣＰＵに限定されず、他のプラットフォームおよびＣＰＵが、提供される方法をサポートすることができることを理解すべきである。
【０３０３】
データビットは、磁気ディスク、光ディスク、およびＣＰＵによって可読な他の任意の揮発性（例えば、ランダムアクセスメモリ（「ＲＡＭ」）または不揮発性（例えば、リードオンリメモリ（「ＲＯＭ」）大規模記憶システムを含む、コンピュータ可読媒体上に維持することもできる。コンピュータ可読媒体は、協調的な、または相互接続されたコンピュータ可読媒体を含むことができ、それらは、処理システム上に排他的に存在し、または処理システムに対してローカルまたはリモートであることができる多数の相互接続された処理システム間に分散させられる。代表的な実施形態は、上述されたメモリに限定されず、他のプラットフォームおよびメモリが、説明される方法をサポートすることができることが理解される。
【０３０４】
説明的な実施形態においては、本明細書において説明された動作、プロセスなどのいずれも、コンピュータ可読媒体上に記憶されたコンピュータ可読命令として実施することができる。コンピュータ可読命令は、モバイルユニット、ネットワーク要素、および／または他の任意のコンピューティングデバイスのプロセッサによって、実行することができる。
【０３０５】
システムの態様のハードウェア実施とソフトウェア実施との間には、僅かな差異しか残されていない。ハードウェアを使用するか、それともソフトウェアを使用するかは、一般に（しかし、ある状況においては、ハードウェアとソフトウェアとの間の選択が重大になることがあるので常にではないが）、コスト対効率性のトレードオフを表す、設計上の選択である。本明細書において説明されたプロセスおよび／またはシステムおよび／または他の技術を達成することができる、様々な手段（例えば、ハードウェア、ソフトウェア、および／またはファームウェア）が、存在することができ、好ましい手段は、プロセスおよび／またはシステムおよび／または他の技術が配備される状況とともに、変化することができる。例えば、実施者が、スピードおよび正確性が最重要であると決定した場合、実施者は、主にハードウェアおよび／またはファームウェア手段を選択することができる。柔軟性が最重要である場合、実施者は、主にソフトウェア実施を選択することができる。あるいは、実施者は、ハードウェア、ソフトウェア、および／またはファームウェアの何らかの組み合わせを選択することができる。
【０３０６】
上述の詳細な説明は、ブロック図、フローチャート、および／または例の使用を介して、デバイスおよび／またはプロセスの様々な実施形態を説明した。そのようなブロック図、フローチャート、および／または例が、１つまたは複数の機能および／または動作を含む限りにおいて、そのようなブロック図、フローチャート、または例の中の各機能および／または動作は、広範なハードウェア、ソフトウェア、ファームウェア、または実質的にそれらの任意の組み合わせによって、個別に、および／または集団的に実施することができることが、当業者によって理解されよう。適切なプロセッサは、例として、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、特定用途向け集積回路（ＡＳＩＣ）、特定用途向け標準製品（ＡＳＳＰ）、フィールドプログラマブルゲートアレイ（ＦＰＧＡ）回路、他の任意のタイプの集積回路（ＩＣ）、および／または状態機械を含む。
【０３０７】
上では、特徴および要素が、特定の組み合わせで説明されたが、各特徴または要素は、単独で使用することができ、または他の特徴および要素との任意の組み合わせで使用することができることを、当業者は理解しよう。本開示は、様々な態様の説明として意図された、本出願において説明される特定の実施形態の観点に限定されるべきではない。当業者に明らかであるように、それの主旨および範囲から逸脱することなく、多くの変更および変形を施すことができる。本出願の説明において使用された要素、行為、または命令は、明示的にそのようなものとして提供されない限り本発明にとって必須または不可欠と解釈されるべきでない。本明細書において列挙されたものに加えて、本開示の範囲内の機能的に等価な方法および装置は、上述の説明から当業者に明らかである。そのような変更および変形は、添付の特許請求の範囲内に包含されることが意図されている。本開示は、添付の特許請求の範囲が権利を与えられた均等物の全範囲とともに、そのような特許請求の範囲の文言によってのみ限定されるべきである。本開示は、特定の方法またはシステムに限定されるべきではないことが理解されるべきである。
【０３０８】
本明細書において使用される用語は、特定の実施形態を説明することをもっぱら目的としており、限定的であることは意図していない。本明細書において使用される場合、本明細書において言及されるとき、「ユーザ機器」という用語およびそれの略語である「ＵＥ」は、（ｉ）以下で説明されるような、無線送信および／もしくは受信ユニット（ＷＴＲＵ）（ｉｉ）以下で説明されるような、ＷＴＲＵの数々の実施形態のいずれか、（ｉｉｉ）以下で説明されるような、とりわけ、ＷＴＲＵのいくつかもしくはすべての構造および機能性を用いて構成される、無線対応および／もしくは有線対応（例えば、繋ぎ可能な）デバイス、（ｉｖ）以下で説明されるような、ＷＴＲＵのすべてよりも少ない構造および機能性を用いて構成される、無線対応および／もしくは有線対応デバイス、または（ｖ）同様のものを意味することができる。本明細書において挙げられるいずれのＷＴＲＵも表すことができる例示的なＷＴＲＵの詳細は、図１〜図５に関して、以下で提供される。
【０３０９】
ある代表的な実施形態においては、本明細書において説明される主題のいくつかの部分は、特定用途向け集積回路（ＡＳＩＣ）、フィールドプログラマブルゲートアレイ（ＦＰＧＡ）、デジタル信号プロセッサ（ＤＳＰ）、および／または他の統合された形式を介して、実施することができる。しかしながら、本明細書において開示される実施形態のいくつかの態様は、全体的または部分的に、１つもしくは複数のコンピュータ上において動作する１つもしくは複数のコンピュータプログラム（例えば、１つもしくは複数のコンピュータシステム上において動作する１つもしくは複数のプログラム）として、１つもしくは複数のプロセッサ上において動作する１つもしくは複数のプログラム（例えば、１つもしくは複数のマイクロプロセッサ上において動作する１つもしくは複数のプログラム）として、ファームウェアとして、または実質的にそれらの任意の組み合わせとして、集積回路において等価的に実施することができ、回路を設計すること、ならびに／またはソフトウェアおよびまたはファームウェアのためのコードを書くことは、本開示を踏まえれば、当業者のスキルの範囲内に十分あることを、当業者は認識しよう。加えて、本明細書において説明される主題のメカニズムは、プログラム製品として様々な形態で配布することができ、本明細書において説明される主題の説明的な実施形態は、配布を実際に実施するために使用される信号運搬媒体の具体的なタイプにかかわらず、適用されることを、当業者は理解しよう。信号運搬媒体の例は、限定することなく、以下を、すなわち、フロッピディスク、ハードディスクドライブ、ＣＤ、ＤＶＤ、デジタルテープ、コンピュータメモリなどの記録可能タイプ媒体、ならびにデジタルおよび／またはアナログ通信媒体（例えば、光ファイバケーブル、導波路、有線通信リンク、無線通信リンクなど）などの伝送タイプ媒体を含む。
【０３１０】
本明細書において説明される主題は、ときには、異なる他の構成要素内に含まれる、または異なる他の構成要素と接続される、異なる構成要素について説明する。そのような示されたアーキテクチャは、例にすぎないこと、実際には、同じ機能性を達成する多くの他のアーキテクチャを実施することができることが、理解されるべきである。概念的な意味においては、同じ機能性を達成するための構成要素のいずれの配置も、所望の機能性を達成することができるように、効果的に「関連付け」られる。したがって、特定の機能性を達成するために組み合わされる、本明細書におけるいずれの２つの構成要素も、アーキテクチャまたは仲介構成要素にかかわらず、所望の機能性が達成されるように、互いに「関連付け」られていると見ることができる。同様に、そのように関連付けられたいずれの２つの構成要素も、所望の機能性を達成するために、互いに「動作可能に接続」または「動作可能に結合」されていると見なすこともでき、そのように関連付けることが可能ないずれの２つの構成要素も、所望の機能性を達成するために、互いに「動作可能に結合可能」であると見なすこともできる。動作可能に結合可能な具体的な例は、限定することなく、物理的に接続可能な、および／もしくは物理的に対話する構成要素、ならびに／または無線で対話可能な、および／もしくは無線で対話する構成要素、ならびに／または論理的に対話する、および／もしくは論理的に対話可能な構成要素を含む。
【０３１１】
本明細書における、実質的にいずれの複数形および／または単数形の用語の使用に関しても、当業者は、状況および／または用途に適するように、複数形から単数形に、および／または単数形から複数形に変換することができる。本明細書においては、明瞭にするために、様々な単数形／複数形の置換が、明白に説明されることがある。
【０３１２】
一般に、本明細書において、特に、添付の特許請求の範囲（例えば、添付の特許請求の範囲の本文）において使用される語は、一般に、「オープン」タームとして意図されていることが（例えば、「ｉｎｃｌｕｄｉｎｇ（含む）」という語は、「限定することなく、〜を含む」と解釈されるべきであり、「ｈａｖｉｎｇ（有する）」という語は、「少なくとも〜を有する」と解釈されるべきであり、「ｉｎｃｌｕｄｅｓ（含む）」という語は、「限定することなく、〜を含む」と解釈されるべきであるなど）、当業者によって理解されよう。導入されるクレーム記載項目について、特定の数が意図される場合、そのような意図は、請求項において明示的に記載され、そのような記載がない場合、そのような意図は、存在しないことが、当業者によってさらに理解されよう。例えば、ただ１つのアイテムが意図される場合、「単一の」という語または類似の言葉を使用することができる。理解の助けとして、以下の添付の特許請求の範囲、および／または本明細書の説明は、クレーム記載項目を導入するために、導入句「少なくとも１つ」および「１つまたは複数」の使用を含むことができる。しかしながら、そのような句の使用は、不定冠詞「ａ」または「ａｎ」によるクレーム記載項目の導入が、そのように導入されたクレーム記載項目を含む任意の特定の請求項を、ただ１つのそのような記載項目を含む実施形態に限定することを暗示すると解釈されるべきではなく、同じ請求項が、導入句「１つまたは複数」または「少なくとも１つ」、および「ａ」または「ａｎ」などの不定冠詞を含むときでさえも、そうである（例えば、「ａ」および／または「ａｎ」は、「少なくとも１つ」または「１つまたは複数」を意味すると解釈されるべきである）。同じことが、クレーム記載項目を導入するために使用される、定冠詞の使用についても言える。加えて、導入されるクレーム記載項目について、特定の数が明示的に記載される場合でさえも、そのような記載は、少なくとも記載された数を意味すると解釈されるべきであることを、当業者は認識しよう（例えば、他の修飾語句を伴わない「２つの記載項目」という最低限の記載は、少なくとも２つの記載項目、または２つ以上の記載項目を意味する）。さらに、「Ａ、Ｂ、およびＣなどのうちの少なくとも１つ」に類似した表現が使用されるような場合、一般に、そのような構文は、当業者がその表現を理解する意味をもつことが意図される（例えば、「Ａ、Ｂ、およびＣのうちの少なくとも１つを有するシステム」は、限定されることなく、Ａだけを有するシステム、Ｂだけを有するシステム、Ｃだけを有するシステム、ＡとＢを共に有するシステム、ＡとＣを共に有するシステム、ＢとＣを共に有するシステム、および／またはＡとＢとＣを共に有するシステムなどを含む）。「Ａ、Ｂ、またはＣなどのうちの少なくとも１つ」に類似した表現が使用されるような場合、一般に、そのような構文は、当業者がその表現を理解する意味をもつことが意図される（例えば、「Ａ、Ｂ、またはＣのうちの少なくとも１つを有するシステム」は、限定されることなく、Ａだけを有するシステム、Ｂだけを有するシステム、Ｃだけを有するシステム、ＡとＢを共に有するシステム、ＡとＣを共に有するシステム、ＢとＣを共に有するシステム、および／またはＡとＢとＣを共に有するシステムなどを含む）。説明内であるか、特許請求の範囲内であるか、それとも図面内であるかにかかわらず、２つ以上の代替語を提示する、実質的にいずれの離接語および／または句も、語のうちの１つ、語のうちのどちらか、または両方の語を含む可能性を企図していると理解されるべきであることが、当業者によってさらに理解されよう。例えば、「ＡまたはＢ」という句は、「Ａ」または「Ｂ」または「ＡおよびＢ」の可能性を含むと理解される。さらに、複数の語および／または複数の語のカテゴリの列挙が後続する「〜のうちのいずれか」という語は、本明細書において使用される場合、語および／もしくは語のカテゴリ「のうちのいずれか」、語および／もしくは語のカテゴリ「の任意の組み合わせ」、「いずれか複数の」語および／もしくは語のカテゴリ、ならびに／または「複数の」語および／もしくは語のカテゴリ「の任意の組み合わせ」を、個々に、または他の語および／もしくは他の語のカテゴリと併せて、含むことが意図されている。さらに、本明細書において使用される場合、「セット」または「グループ」という語は、ゼロを含む任意の数のアイテムを含むことが意図されている。加えて、本明細書において使用される場合、「数」という語は、ゼロを含む任意の数を含むことが意図されている。
【０３１３】
加えて、本開示の特徴または態様が、マーカッシュ群によって記述される場合、本開示は、それによって、マーカッシュ群の任意の個々のメンバまたはメンバのサブグループによっても記述されることを、当業者は認識しよう。
【０３１４】
当業者によって理解されるように、書かれた説明を提供することなどに関する、いずれかのおよびすべての目的のために、本明細書において開示されるすべての範囲は、いずれかのおよびすべての可能な部分範囲ならびに部分範囲の組み合わせも包含する。いずれのリストアップされた範囲も、少なくとも等しい半分、３分の１、４分の１、５分の１、１０分の１などに分解される同じ範囲を十分に説明し、可能にするものとして、容易に認識することができる。非限定的な例として、本明細書において説明される各範囲は、下側３分の１、中間３分の１、および上側３分の１などに容易に分割することができる。やはり当業者によって理解されるように、「最大で」、「少なくとも」、「〜よりも大きい」、および「〜よりも小さい」などのすべての言葉は、記述された数を含み、上で説明されたような部分範囲に後で分解することができる範囲に言及している。最後に、当業者によって理解されるように、範囲は、各個々のメンバを含む。したがって、例えば、１つ〜３つのセルを有するグループは、１つ、２つ、または３つのセルを有するグループに言及している。同様に、１つ〜５つのセルを有するグループは、１つ、２つ、３つ、４つ、または５つのセルを有するグループに言及しているなどである。
【０３１５】
さらに、特許請求の範囲は、その趣旨で述べられない限り、提供される順序または要素に限定されるものとして、読まれるべきではない。加えて、いずれの請求項における「〜のための手段（ｍｅａｎｓ  ｆｏｒ）」という語の使用も、米国特許法第１１２条第６段落、またはミーンズプラスファンクションクレーム形式を発動させることが意図されており、「〜のための手段」という語を用いないいずれの請求項も、そのようなことを意図していない。
【０３１６】
無線送受信ユニット（ＷＴＲＵ）、ユーザ機器（ＵＥ）、端末、基地局、モビリティ管理エンティティ（ＭＭＥ）もしくは進化型パケットコア（ＥＰＣ）、または任意のホストコンピュータにおいて使用するための無線周波数送受信機を実施するために、ソフトウェアと連携するプロセッサを使用することができる。ＷＴＲＵは、ソフトウェア無線（ＳＤＲ）を含む、ハードウェアおよび／またはソフトウェアで実施されるモジュール、ならびにカメラ、ビデオカメラモジュール、ビデオフォン、スピーカフォン、バイブレーションデバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）ラジオユニット、近距離無線通信（ＮＦＣ）モジュール、液晶表示（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）もしくは超広帯域（ＵＷＢ）モジュールなどの、他の構成要素と併せて、使用することができる。
【０３１７】
本発明は、通信システムに関して説明されたが、システムは、マイクロプロセッサ／汎用コンピュータ（図示されず）上においてソフトウェアで実施することができることが企図されている。ある実施形態においては、様々な構成要素の機能のうちの１つまたは複数は、汎用コンピュータを制御するソフトウェアで実施することができる。
【０３１８】
加えて、本明細書においては、本発明が、特定の実施形態を参照して示され、説明されたが、本発明が、示された詳細に限定されることは意図されていない。むしろ、特許請求の範囲内において、またその均等物の範囲内において、本発明から逸脱することなく、細部に様々な変更を施すことができる。
【図１】
2019528613.tif 000043
【図２】
2019528613.tif 000044
【図３】
2019528613.tif 000045
【図４】
2019528613.tif 000046
【図５】
2019528613.tif 000047
【図６】
2019528613.tif 000048
【図７】
2019528613.tif 000049
【図８】
2019528613.tif 000050
【図９】
2019528613.tif 000051
【図１０Ａ】
2019528613.tif 000052
【図１０Ｂ】
2019528613.tif 000053
【図１１】
2019528613.tif 000054
【図１２】
2019528613.tif 000055
【図１３】
2019528613.tif 000056
【図１４】
2019528613.tif 000057
【図１５】
2019528613.tif 000058
【図１６】
2019528613.tif 000059
【図１７】
2019528613.tif 000060
【図１８】
2019528613.tif 000061
【図１９】
2019528613.tif 000062
【図２０】
2019528613.tif 000063
【図２１】
2019528613.tif 000064
【図２２】
2019528613.tif 000065
【図２３】
2019528613.tif 000066
【図２４】
2019528613.tif 000067
【図２５】
2019528613.tif 000068
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）によって、複数のサウンディング基準信号（ＳＲＳ）を使用して実施されるアップリンク（ＵＬ）送信の方法において、
前記ＷＴＲＵによって、複数のダウンリンク（ＤＬ）基準信号（ＲＳ）を測定するステップと、
前記ＷＴＲＵによって、第１のプリコーディング情報を、前記測定されたＤＬ  ＲＳを使用して決定するステップと、
前記ＷＴＲＵによって、前記複数のＳＲＳを、前記決定された第１のプリコーディング情報を使用してプリコードするステップと、
前記ＷＴＲＵによって、ネットワークエンティティに、プリコードされた前記複数のＳＲＳを送信するステップと、
前記ＷＴＲＵによって、ネットワークエンティティから、ランク情報と、前記ＷＴＲＵから送信された前記プリコードされたＳＲＳに基づいた第２のプリコーディング情報を示すインジケータとを含む、ダウンリンク制御情報（ＤＣＩ）を受信するステップと、
前記ＷＴＲＵによって、前記第２のプリコーディング情報を使用してプリコードされたＵＬデータを送信するステップと
を備える方法。
【請求項２】
プリコードされた前記ＳＲＳを送信する前記ステップは、推奨されるプリコーダのセットの表示を、前記ネットワークエンティティに送信することを含む請求項１に記載の方法。
【請求項３】
前記ＷＴＲＵによって、前記ＤＣＩを介して、前記ネットワークエンティティに前記表示として送信された前記推奨されるプリコーダのサブセットを、前記ＤＣＩ内に含まれる前記インジケータに基づいて、識別するステップをさらに備える請求項２に記載の方法。
【請求項４】
前記複数のＳＲＳと前記ＵＬデータは、異なってプリコードされる請求項１乃至３いずれかに記載の方法。
【請求項５】
前記インジケータは、前記第２のプリコーディング情報を識別するためのインデックスである請求項１乃至４いずれかに記載の方法。
【請求項６】
前記複数のＳＲＳをプリコードするために使用される推奨されるプリコーダの前記セットは、前記ＷＴＲＵによって、前記測定されたＤＬ  ＲＳに基づいて決定される請求項２に記載の方法。
【請求項７】
前記第２のプリコーディング情報と関連付けられ、前記ＤＣＩ内において示される、推奨されるプリコーダの前記サブセットは、（１）特定の方向におけるビーム、（２）干渉方向を回避もしくは実質的に回避するビーム、（３）前記ＷＴＲＵと１つもしくは複数のさらなるＷＴＲＵとの間の干渉を打ち消す、もしくは低減させるビーム、または（４）少なくとも１つの他のＷＴＲＵと関連付けられた干渉方向に対応するヌル空間を有するビームのうちのいずれかを生成するために使用される請求項３に記載の方法。
【請求項８】
アップリンク（ＵＬ）データを、複数のサウンディング基準信号（ＳＲＳ）を使用して送信するように構成された無線送受信ユニット（ＷＴＲＵ）において、
複数のダウンリンク（ＤＬ）基準信号（ＲＳ）を測定し、
第１のプリコーディング情報を、前記測定されたＤＬ  ＲＳを使用して決定し、
前記複数のＳＲＳを、前記決定された第１のプリコーディング情報を使用してプリコードする
ように構成されたプロセッサと、
プリコードされた前記複数のＳＲＳを、ネットワークエンティティに送信し、
ネットワークエンティティから、ランク情報と、前記ＷＴＲＵから送信された前記プリコードされたＳＲＳに基づいた第２のプリコーディング情報を示すインジケータとを含む、ダウンリンク制御情報（ＤＣＩ）を受信し、
前記第２のプリコーディング情報を使用してプリコードされたＵＬデータを送信する
ように構成された送受信ユニットと
を備えたＷＴＲＵ。
【請求項９】
前記送受信ユニットは、推奨されるプリコーダのセットの表示を、前記ネットワークエンティティに送信するように構成された請求項８に記載のＷＴＲＵ。
【請求項１０】
前記プロセッサは、前記ＤＣＩを介して、前記ネットワークエンティティに前記表示として送信された前記推奨されるプリコーダのサブセットを、前記ＤＣＩ内に含まれる前記インジケータに基づいて、識別するように構成された請求項９に記載のＷＴＲＵ。
【請求項１１】
前記複数のＳＲＳと前記ＵＬデータは、異なってプリコードされる請求項８乃至１０いずれかに記載のＷＴＲＵ。
【請求項１２】
前記インジケータは、前記第２のプリコーディング情報を識別するためのインデックスである請求項８乃至１１いずれかに記載のＷＴＲＵ。
【請求項１３】
前記複数のＳＲＳをプリコードするために使用される推奨されるプリコーダの前記セットは、前記ＷＴＲＵによって、前記測定されたＤＬ  ＲＳに基づいて決定される請求項９に記載のＷＴＲＵ。
【請求項１４】
前記第２のプリコーディング情報と関連付けられ、前記ＤＣＩ内において示される、推奨されるプリコーダの前記サブセットは、（１）特定の方向におけるビーム、（２）干渉方向を回避もしくは実質的に回避するビーム、（３）前記ＷＴＲＵと１つもしくは複数のさらなるＷＴＲＵとの間の干渉を打ち消す、もしくは低減させるビーム、または（４）少なくとも１つの他のＷＴＲＵと関連付けられた干渉方向に対応するヌル空間を有するビームのうちのいずれかを生成するために使用される請求項１０に記載のＷＴＲＵ。
【請求項１５】
前記第１のプリコーディング情報の前記決定は、プリコーディングベクトルまたはプリコーディング行列を、前記ネットワークエンティティによって提供されるチャネル状態情報（ＣＳＩ）ＲＳに基づいて決定することを含む請求項８乃至１４いずれかに記載のＷＴＲＵ。
【国際調査報告】
2019528613.tif 000069
2019528613.tif 000070
2019528613.tif 000071
2019528613.tif 000072
2019528613.tif 000073